(57)【要約】【課題】使い勝手のよい表示装置を提供する。【解決手段】表示装置は、複数の画像を表示する表示部と、前記表示部の前記複数の画像の表示形態を、第１の表示形態、または、第２の表示形態に制御する制御部と、を備え、前記第１の表示形態は、第１の複数の領域と第１の複数の画像とからなる表示形態であり、前記第２の表示形態は、第２の複数の領域と第２の複数の画像とからなる表示形態であり、前記第２の複数の領域とは、前記第１の複数の領域とは少なくとも１つの領域の大きさが異なり、または、前記第１の複数の領域とは領域の個数が異なる複数の領域であり、前記第２の複数の画像とは、前記第１の複数の画像とは少なくとも１つの画像の内容が異なる複数の画像であり、前記制御部は、前記第１の複数の画像のうち少なくとも１つの画像を選択する指示、または、前記第１の複数の領域のうち少なくとも１つの領域を選択する指示、の少なくとも一方の指示を検出すると、前記第１の表示形態から前記第２の表示形態に変更する。【選択図】図５
2018092254.tif 000002
【特許請求の範囲】
【請求項１】
複数の画像を表示する表示部と、
前記表示部の前記複数の画像の表示形態を、第１の表示形態、または、第２の表示形態に制御する制御部と、を備え、
前記第１の表示形態は、第１の複数の領域と第１の複数の画像とからなる表示形態であり、
前記第２の表示形態は、第２の複数の領域と第２の複数の画像とからなる表示形態であり、
前記第２の複数の領域とは、前記第１の複数の領域とは少なくとも１つの領域の大きさが異なり、または、前記第１の複数の領域とは領域の個数が異なる複数の領域であり、
前記第２の複数の画像とは、前記第１の複数の画像とは少なくとも１つの画像の内容が異なる複数の画像であり、
前記制御部は、前記第１の複数の画像のうち少なくとも１つの画像を選択する指示、または、前記第１の複数の領域のうち少なくとも１つの領域を選択する指示、の少なくとも一方の指示を検出すると、前記第１の表示形態から前記第２の表示形態に変更する表示装置。
【請求項２】
請求項１に記載の表示装置において、
前記制御部は、前記画像を選択する指示を検出した対象の画像を検出画像として、前記第２の表示形態に表示する表示装置。
【請求項３】
請求項１に記載の表示装置において、
前記制御部は、前記領域を選択する指示を検出した対象の領域に表示される画像を検出画像として、前記第２の表示形態に表示する表示装置。
【請求項４】
請求項２または請求項３に記載の表示装置において、
前記制御部は、少なくとも１つの前記検出画像に関連のある関連画像を、前記第２の表示形態に表示する表示装置。
【請求項５】
請求項４に記載の表示装置において、
前記制御部は、前記関連画像の表示する数を一定数以下で表示する表示装置。
【請求項６】
請求項５に記載の表示装置において、
前記制御部は、前記関連画像の表示する数が一定数に達した後に、前記画像を選択する指示、または、前記領域を選択する指示を検出すると、前記表示部に表示されている最古の画像を前記関連画像のうち未表示の画像に置き換える表示装置。
【請求項７】
請求項２から請求項６までのいずれか一項に記載の表示装置において、
前記制御部は、前記第１の複数の画像のうち、前記検出画像ではない他の画像を、前記第２の表示形態に表示する表示装置。
【請求項８】
請求項７に記載の表示装置において、
前記制御部は、前記他の画像を前記第２の表示形態に表示する際に、前記他の画像の領域の大きさを所定の大きさ以上で表示する請求項５に記載の表示装置。
【請求項９】
請求項１から請求項８までのいずれか一項に記載の表示装置において、
前記制御部は、前記画像を選択する指示、または、前記領域を選択する指示の少なくとも一方の指示を検出している長さに基づいて、前記画像と前記領域の対応を連続的に変更する表示装置。
【請求項１０】
請求項１から請求項９までのいずれか一項に記載の表示装置において、
前記制御部は、前記画像を選択する指示、または、前記領域を選択する指示の少なくとも一方の指示を検出している押圧力の強さに基づいて、前記画像と前記領域の対応を連続的に変更する表示装置。
【請求項１１】
複数の画像を表示する表示部と、
前記表示部の前記複数の画像の表示形態を、第１の表示形態、または、第２の表示形態に制御する制御部と、を備え、
前記第１の表示形態は、第１の複数の領域に画像を表示する表示形態であり、
前記第２の表示形態は、第２の複数の領域に画像を表示する表示形態であり、
前記第２の複数の領域とは、前記第１の複数の領域とは少なくとも１つの領域の大きさが異なり、または、前記第１の複数の領域とは領域の個数が異なる複数の領域であり、
前記制御部は、前記第１の複数の領域のうち少なくとも１つの領域、または前記領域に表示されている画像を選択する指示を検出すると、前記第１の表示形態から前記第２の表示形態に変更する表示装置。
【請求項１２】
表示画面に複数の画像を表示する表示ステップと、
前記表示画面に表示された前記複数の画像の表示形態を、第１の表示形態、または、第２の表示形態に制御する制御ステップと、をコンピュータに実行させ、
前記第１の表示形態は、第１の複数の領域と第１の複数の画像とからなる表示形態であり、
前記第２の表示形態は、第２の複数の領域と第２の複数の画像とからなる表示形態であり、
前記第２の複数の領域とは、前記第１の複数の領域とは少なくとも１つ領域の大きさが異なり、または、前記第１の複数の領域とは領域の個数が異なる複数の領域であり、
前記第２の複数の画像とは、前記第１の複数の画像とは少なくとも１つの画像の内容が異なる複数の画像であり、
前記制御ステップでは、前記第１の複数の画像のうち少なくとも１つの画像を選択する指示、または、前記第１の複数の領域のうち少なくとも１つの領域を選択する指示、の少なくとも一方の指示を検出すると、前記第１の表示形態から前記第２の表示形態に変更する表示プログラム。
【請求項１３】
表示画面に複数の画像を表示する表示工程と、
前記表示画面に表示された前記複数の画像の表示形態を、第１の表示形態、または、第２の表示形態に制御する制御工程と、を備え、
前記第１の表示形態は、第１の複数の領域と第１の複数の画像とからなる表示形態であり、
前記第２の表示形態は、第２の複数の領域と第2の複数の画像とからなる表示形態であり、
前記制御工程では、前記第１の複数の画像のうち少なくとも１つの画像を選択する指示、または、前記第１の複数の領域のうち少なくとも１つの領域を選択する指示、の少なくとも一方の指示を検出すると、前記第１の表示形態から前記第２の表示形態に変更する表示方法。
【発明の詳細な説明】
【技術分野】
【０００１】
本発明は、表示装置、表示プログラムおよび表示方法に関する。
【背景技術】
【０００２】
従来、１つの画面を複数の画面領域に分割することで、複数の画像を１つの画面にレイアウトして表示する画像表示システムが知られている（例えば特許文献１）。しかし、従来技術には、レイアウトの変更に煩雑な操作を伴うという課題がある。
【先行技術文献】
【特許文献】
【０００３】
【特許文献１】特開２０１０−２７８８２４号公報
【発明の概要】
【０００４】
第１の態様によると、表示装置は、複数の画像を表示する表示部と、前記表示部の前記複数の画像の表示形態を、第１の表示形態、または、第２の表示形態に制御する制御部と、を備え、前記第１の表示形態は、第１の複数の領域と第１の複数の画像とからなる表示形態であり、前記第２の表示形態は、第２の複数の領域と第２の複数の画像とからなる表示形態であり、前記第２の複数の領域とは、前記第１の複数の領域とは少なくとも１つの領域の大きさが異なり、または、前記第１の複数の領域とは領域の個数が異なる複数の領域であり、前記第２の複数の画像とは、前記第１の複数の画像とは少なくとも１つの画像の内容が異なる複数の画像であり、記制御部は、前記第１の複数の画像のうち少なくとも１つの画像を選択する指示、または、前記第１の複数の領域のうち少なくとも１つの領域を選択する指示、の少なくとも一方の指示を検出すると、前記第１の表示形態から前記第２の表示形態に変更する。
第２の態様によると、表示装置は、複数の画像を表示する表示部と、前記表示部の前記複数の画像の表示形態を、第１の表示形態、または、第２の表示形態に制御する制御部と、を備え、前記第１の表示形態は、第１の複数の領域に画像を表示する表示形態であり、前記第２の表示形態は、第２の複数の領域に画像を表示する表示形態であり、前記第２の複数の領域とは、前記第１の複数の領域とは少なくとも１つの領域の大きさが異なり、または、前記第１の複数の領域とは領域の個数が異なる複数の領域であり、記制御部は、前記第１の複数の領域のうち少なくとも１つの領域、または前記領域に表示されている画像を選択する指示を検出すると、前記第１の表示形態から前記第２の表示形態に変更する。
第３の態様によると、表示プログラムは、表示画面に複数の画像を表示する表示ステップと、前記表示画面に表示された前記複数の画像の表示形態を、第１の表示形態、または、第２の表示形態に制御する制御ステップと、をコンピュータに実行させ、前記第１の表示形態は、第１の複数の領域と第１の複数の画像とからなる表示形態であり、前記第２の表示形態は、第２の複数の領域と第２の複数の画像とからなる表示形態であり、前記第２の複数の領域とは、前記第１の複数の領域とは少なくとも１つ領域の大きさが異なり、または、前記第１の複数の領域とは領域の個数が異なる複数の領域であり、前記第２の複数の画像とは、前記第１の複数の画像とは少なくとも１つの画像の内容が異なる複数の画像であり、前記制御ステップでは、前記第１の複数の画像のうち少なくとも１つの画像を選択する指示、または、前記第１の複数の領域のうち少なくとも１つの領域を選択する指示、の少なくとも一方の指示を検出すると、前記第１の表示形態から前記第２の表示形態に変更する。
第４の態様によると、表示方法は、表示画面に複数の画像を表示する表示工程と、前記表示画面に表示された前記複数の画像の表示形態を、第１の表示形態、または、第２の表示形態に制御する制御工程と、を備え、前記第１の表示形態は、第１の複数の領域と第１の複数の画像とからなる表示形態であり、前記第２の表示形態は、第２の複数の領域と第2の複数の画像とからなる表示形態であり、前記制御工程では、前記第１の複数の画像のうち少なくとも１つの画像を選択する指示、または、前記第１の複数の領域のうち少なくとも１つの領域を選択する指示、の少なくとも一方の指示を検出すると、前記第１の表示形態から前記第２の表示形態に変更する。
【図面の簡単な説明】
【０００５】
【図１】第１の実施の形態に係る画像再生システムの構成を示すブロック図
【図２】記憶装置３０に記憶されているデータの模式図
【図３】携帯機器７の構成を模式的に示すブロック図
【図４】携帯機器７の外観を示す模式図
【図５】第１の実施の形態に係る電子アルバム再生時の表示画面を例示する図
【図６】画像データ３１の選択方法の一例を示す説明図
【図７】再生処理のフローチャート
【図８】第２の実施の形態に係る電子アルバム再生時の表示画面を例示する図
【図９】第３の実施の形態に係る電子アルバム再生時の表示画面を例示する図
【図１０】第４の実施の形態に係る電子アルバム再生時の表示画面を例示する図
【図１１】第５の実施の形態に係る電子アルバム再生時の表示画面を例示する図
【図１２】画像データＡ１の再生中にフリック操作を行った後の表示画面を例示する図
【図１３】画像データＡ３の再生中にフリック操作を行った後の表示画面を例示する図
【図１４】変形例７の実施の形態に係る電子アルバム再生時の表示画面を例示する図
【図１５】変形例８の実施の形態に係る電子アルバム再生時の表示画面を例示する図
【図１６】記憶装置３０に記憶されているデータの模式図
【図１７】携帯機器７の構成を模式的に示すブロック図
【図１８】スケジュールデータ７２０の構造を示す模式図
【図１９】電子アルバム再生時の表示画面を例示する図
【図２０】再生処理のフローチャート
【図２１】携帯機器７の構成を模式的に示すブロック図
【図２２】電子アルバム再生時の表示画面を例示する図
【図２３】携帯機器７の構成を模式的に示すブロック図
【図２４】記憶装置３０に記憶されているデータの模式図
【図２５】電子アルバム再生時の表示画面を例示する図
【図２６】電子アルバム再生時の表示画面を例示する図
【図２７】電子アルバム再生時の表示画面を例示する図
【図２８】電子アルバム再生時の表示画面を例示する図
【発明を実施するための形態】
【０００６】
（第１の実施の形態）
図１は、第１の実施の形態に係る画像再生システムの構成を示すブロック図である。画像再生システム１は、ネットワーク２、サーバ３、情報端末４、カメラ５ａ、カメラ５ｂ、無線中継局６ａ、無線中継局６ｂ、および携帯機器７を含む。なお、以下の説明では、カメラ５ａとカメラ５ｂをカメラ５と総称する。
【０００７】
画像再生システム１は、カメラ５による撮影画像を携帯機器７で再生するシステムである。ネットワーク２は、例えばインターネット等の広域通信網である。ネットワーク２には、サーバ３、情報端末４、無線中継局６ａ、無線中継局６ｂが接続されている。情報端末４は、例えばパソコン等の情報端末である。カメラ５ａは、情報端末４およびネットワーク２を介して、サーバ３に画像データを送信することができる。
【０００８】
無線中継局６ａおよび無線中継局６ｂは、カメラ５ｂや携帯機器７との間で、例えば無線ＬＡＮ等の無線通信を行う。カメラ５ｂは、無線中継局６ａおよびネットワーク２を介して、サーバ３に画像データを送信することができる。携帯機器７は、無線中継局６ｂおよびネットワーク２を介して、サーバ３から画像データを受信することができる。
【０００９】
サーバ３は、記憶装置３０を有する。記憶装置３０は、例えばＨＤＤ等の記憶装置である。サーバ３は、カメラ５ａおよびカメラ５ｂから受信した画像データを記憶装置３０に記憶する。サーバ３は、記憶装置３０に記憶されている種々のデータを、必要に応じて携帯機器７に送信する。
【００１０】
図２は、記憶装置３０に記憶されているデータの模式図である。記憶装置３０は、複数の画像データ３１および複数の電子アルバムデータ３２を記憶している。画像データ３１は、カメラ５によって作成された、例えばＪＰＥＧ形式の画像ファイルである。本実施の形態において、画像データ３１は、静止画を記録した画像ファイルである。画像データ３１には、１つ以上のカテゴリデータ３３が関連付けられている。
【００１１】
カテゴリデータ３３は、画像データ３１に関連する１つ以上のカテゴリを示すデータである。例えば、被写体の属性に関する「自動車」、「山」、「動物」等のカテゴリ、撮影時期（季節や時間帯など）に関する「春」、「夜」等のカテゴリ、撮影場所に関する「市街地」、「日本」、「東京」等のカテゴリ、撮影構図に関する「風景」、「ポートレート」等のカテゴリが存在する。これらのカテゴリは一例であり、その他、画像データ３１に関する種々の項目が、カテゴリデータ３３により示されるカテゴリになり得る。以下の説明では、何らかのカテゴリを示すカテゴリデータ３３に関連付けられた画像データ３１を、そのカテゴリに属する画像データ３１と呼ぶ。
【００１２】
電子アルバムデータ３２は、電子アルバムを表現するデータである。電子アルバムデータ３２は、複数の画像データ３１が関連付けられたデータである。ユーザは、例えば情報端末４を操作することにより、電子アルバムデータ３２の作成および編集を行うことができる。ユーザは、複数の画像データ３１を適宜選択し、選択した画像データ３１が関連付けられた電子アルバムデータ３２を作成する。以下の説明では、電子アルバムデータ３２に関連付けられた画像データ３１を、その電子アルバムデータ３２に含まれる画像データ３１と呼ぶ。
ここでユーザとは、画像を鑑賞（閲覧）する人のことであり、画像の撮影者、画像の編集者及び鑑賞のみを行う人のいずれをも含む。
【００１３】
図３は、携帯機器７の構成を模式的に示すブロック図である。携帯機器７は、いわゆるタブレット型の情報端末である。携帯機器７は、制御部７０、ＤＲＡＭ７１、フラッシュメモリ７２、液晶ディスプレイ７３、タッチパネル７４、および無線通信モジュール７５を備える。
【００１４】
制御部７０は、不図示のマイクロプロセッサおよびその周辺回路から構成される。制御部７０は、フラッシュメモリ７２に予め記録されている所定の制御プログラムを読み込んで実行することにより、携帯機器７の各部を制御する。ＤＲＡＭ７１は主記憶装置である。フラッシュメモリ７２は補助記憶装置である。液晶ディスプレイ７３は表示装置である。タッチパネル７４は、液晶ディスプレイ７３に積層された入力装置である。無線通信モジュール７５は、無線中継局６ｂとの間で無線によるデータ通信を行う通信モジュールである。制御部７０は、無線通信モジュール７５を介して、ネットワーク２に接続されたサーバ３等のノードとデータ通信を行うことができる。
【００１５】
図４は、携帯機器７の外観を示す模式図である。携帯機器７は板状の筐体を有している。筐体の一面には、液晶ディスプレイ７３が設けられている。液晶ディスプレイ７３にはタッチパネル７４が積層されている。ユーザが手指等を液晶ディスプレイ７３の表示画面に接触させると、タッチパネル７４は、表示画面における接触位置を検出する。以下の説明では、ユーザが手指等を液晶ディスプレイ７３の表示画面に接触させて行う種々の操作をタッチ操作と称する。
【００１６】
携帯機器７は、記憶装置３０に記憶されている電子アルバムデータ３２に基づき、電子アルバムを再生することができる。以下、電子アルバムの再生処理を説明する。
【００１７】
図５（ａ）は、電子アルバム再生時の初期画面を例示する図である。表示画面７３ａは、タイル状に、第１区画１００ａ、第２区画１００ｂ、第３区画１００ｃ、および第４区画１００ｄに区切られている。以下の説明では、第１区画１００ａ、第２区画１００ｂ、第３区画１００ｃ、および第４区画１００ｄ等の区画を区画１００と総称する。各々の区画１００は、長方形の形状を有しており、そのサイズおよび位置は様々である。なお、区画の形状は長方形に限らず、正方形、台形のような形状でも構わない。
【００１８】
制御部７０は、再生対象の電子アルバムデータ３２に含まれる画像データ３１から、４つの画像データＡ１，Ｂ１，Ｃ１，Ｄ１を選択し、第１区画１００ａ、第２区画１００ｂ、第３区画１００ｃ、および第４区画１００ｄにそれぞれ表示する。なお、画像データＡ１〜Ｄ１のサイズや縦横比は、表示対象の区画１００のサイズや縦横比と必ずしも一致しない。制御部７０は、画像データＡ１〜Ｄ１を区画１００に収まるように適宜加工して表示する。例えば、画像データＡ１を第１区画１００ａに表示するに際し、画像データＡ１を拡大または縮小したり、画像データＡ１の一部を切り出したり、画像データＡ１の周囲に余白を設けて縦横比を調節したりする。
【００１９】
図６は、画像データ３１の選択方法の一例を示す説明図である。再生処理に際し、制御部７０は、再生対象の電子アルバムデータ３２に含まれる画像データ３１を、カテゴリデータ３３に基づき集計する。例えば図６では、カテゴリごとに、そのカテゴリに属する画像データ３１の個数を数え、カテゴリを降順（個数が多い順）にソートしている。制御部７０は、この処理によって、画像データ３１の個数が多い上位４つのカテゴリを特定する。図６では、画像データ３１の個数が最も多い４つのカテゴリを、カテゴリＡ、カテゴリＢ、カテゴリＣ、カテゴリＤと表記している。
【００２０】
制御部７０は、カテゴリＡに属する複数の画像データ３１から画像データＡ１を選択する。同様に、カテゴリＢに属する複数の画像データ３１から画像データＢ１を、カテゴリＣに属する複数の画像データ３１から画像データＣ１を、カテゴリＤに属する複数の画像データ３１から画像データＤ１を、それぞれ選択する。これにより、４つの画像データＡ１〜Ｄ１が選択される。
【００２１】
図５（ａ）に示すように、制御部７０は、選択した画像データＡ１を第１区画１００ａに、画像データＢ１を第２区画１００ｂに、画像データＣ１を第３区画１００ｃに、画像データＤ１を第４区画１００ｄに、それぞれ表示（再生）する。結果として、表示画面７３ａには、それぞれ異なるカテゴリに属する４つの画像データＡ１〜Ｄ１が表示される。
【００２２】
閲覧しているユーザ（以下、閲覧者と称する）は、表示画面７３ａに表示された４つの画像データＡ１〜Ｄ１から、興味のある画像データ３１（例えば、画像データＡ１）を見つける。閲覧者は、その画像データＡ１が表示されている第１区画１００ａにタッチ操作を行うことで、画像データＡ１に興味があることを制御部７０に指示することができる。つまり、このタッチ操作は、第１区画１００ａに表示されている画像データＡ１の選択指示である。
【００２３】
制御部７０は、このタッチ操作に応じて、表示画面７３ａに新たに第５区画１００ｅおよび第６区画１００ｆを追加する。第５区画１００ｅおよび第６区画１００ｆには、閲覧者が興味のある画像データＡ１に関連する他の画像データＡ２，Ａ３（関連画像データ）が表示される。
【００２４】
図５（ｂ）は、図５（ａ）の第１区画１００ａに対してタッチ操作が為された後の表示画面７３ｂを例示する図である。制御部７０は、タッチ操作が為された第１区画１００ａの近傍に、新たに第５区画１００ｅおよび第６区画１００ｆを設ける。制御部７０は、第１区画１００ａ以外の既存の区画１００である第２区画１００ｂ、第３区画１００ｃ、および第４区画１００ｄを縮小して、第５区画１００ｅおよび第６区画１００ｆの表示領域を確保する。つまり制御部７０は、複数の区画１００の個数、形状、位置、およびサイズを変更する。なお、第２区画１００ｂに表示されていた画像データＢ１は、第２区画１００ｂに合わせて縮小されてもよいし、縮尺はそのままに表示範囲が縮小されてもよい。第３区画１００ｃ、第４区画１００ｄについても同様である。
【００２５】
新たに設けられた第５区画１００ｅおよび第６区画１００ｆには、それぞれ、第１区画１００ａに表示されていた画像データＡ１に関連する関連画像データＡ２，Ａ３が表示される。制御部７０は、第１区画１００ａに表示されていた画像データＡ１のカテゴリ、すなわちカテゴリＡに属する他の画像データＡ２および画像データＡ３を、関連画像データとして第５区画１００ｅおよび第６区画１００ｆに表示する。
【００２６】
閲覧者は、図５（ｂ）の表示画面７３ｂが表示されている状態で、更に、区画１００にタッチ操作を行うことができる。例えば、閲覧者が第５区画１００ｅに表示されている画像データＡ２に興味があり、第５区画１００ｅにタッチ操作を行う。画像データＡ２はカテゴリＡに属するので、制御部７０はこのタッチ操作に応じて、表示画面７３ｂに、カテゴリＡに属する画像データ３１を、より多く表示する。ただし、新たな区画１００を更に追加しようとすると、個々の区画１００のサイズが小さくなりすぎてしまう。そこで、制御部７０は、カテゴリＡとは異なるカテゴリに属する画像データＢ１〜Ｄ１が表示されている第２区画１００ｂ、第３区画１００ｃ、および第４区画１００ｄに、カテゴリＡに属する画像データＡ４、Ａ５、Ａ６を表示する。換言すると、制御部７０は、第２区画１００ｂ、第３区画１００ｃ、および第４区画１００ｄに表示している画像データＢ１〜Ｄ１を、カテゴリＡに属する画像データＡ４，Ａ５，Ａ６に切り替える。
【００２７】
図５（ｃ）は、図５（ｂ）の第５区画１００ｅに対してタッチ操作が為された後の表示画面７３ｃを例示する図である。図５（ａ）から図５（ｂ）への変化と違い、図５（ｂ）から図５（ｃ）への変化では、区画１００の個数、形状、位置およびサイズは変化していない。制御部７０は、第２区画１００ｂ、第３区画１００ｃ、第４区画１００ｄに、第５区画１００ｅに表示されていた撮影データＡ２のカテゴリＡと同一のカテゴリＡに属する他の画像データＡ４、Ａ５、Ａ６を表示する。
なお、図５（ｂ）から図５（ｃ）への表示画面７３の変化で、区画１００の個数、形状、位置およびサイズは変化しない場合について記載したが、区画１００の個数、形状、位置および形状は変化してもよい。
【００２８】
以上のように、制御部７０は、区画１００にタッチ操作が為される度に、複数の区画１００の表示態様と、複数の区画１００に表示する複数の画像データ３１と、を共に変更させる。
【００２９】
この他に閲覧者は、例えばタッチパネル７４に対するタッチ操作や不図示の操作部材への操作により、ページ送りやページ戻し等のページ移動操作を行うことが可能である。閲覧者がページ移動操作を行うと、制御部７０は、複数の区画１００の表示態様をそのままに、各区画１００に表示する画像データ３１を他の画像データ３１に切り替える。なお、ページ移動操作によって、電子アルバムに含まれる全ての画像データ３１を必ずしも閲覧可能にしなくてもよい。また、所定の優先順位に基づき、ページ移動操作によって新たに表示される画像データ３１を決定してもよい。例えば被写体抽出、縦横構図などによる、既存の画像判定技術によって、電子アルバムに含まれる多数の画像データ３１について優先順位を決めることができる。
【００３０】
図７は、再生処理のフローチャートである。ステップＳ１０で、制御部７０に、再生対象となる電子アルバムデータ３２を特定する指示が入力される。閲覧者は、電子アルバムデータ３２を特定するために、例えば電子アルバムの名称やＵＲＬ等を、タッチパネル７４等の入力装置により入力する。ステップＳ２０で、制御部７０は、再生対象の電子アルバムデータ３２をサーバ３から受信する。
【００３１】
ステップＳ３０で、制御部７０は、電子アルバムデータ３２に含まれる画像データ３１から、初期画面で表示する４つの画像データ３１を選択する。具体的な選択手順は、図６を用いて説明した通りである。ステップＳ４０で、制御部７０は、ステップＳ３０で選択した４つの画像データ３１を、図５（ａ）に例示した４つの区画１００にそれぞれ表示する。
【００３２】
ステップＳ５０で、制御部７０は、表示中の画像データ３１のいずれかの選択指示が入力されたか否かを判定する。つまり、表示中の画像データ３１のいずれかに対するタッチ操作が為されたか否かを判定する。選択指示が入力されていなかった場合、制御部７０は処理をステップＳ１００に進める。他方、選択指示が入力されていた場合、制御部７０は処理をステップＳ６０に進める。
【００３３】
ステップＳ６０で、制御部７０は、既存の区画１００のサイズが所定サイズ以上か否かを判定する。全ての区画１００のサイズが所定サイズ以上である場合、制御部７０は、処理をステップＳ７０に進める。ステップＳ７０で、制御部７０は、タッチ操作が為された区画１００の近傍に、新たな区画１００を設ける。ステップＳ８０で、制御部７０は、新たな区画１００に、タッチ操作が為された画像データ３１に関連する関連画像データを表示する。その後、制御部７０は、処理をステップＳ１００に進める。
【００３４】
ステップＳ６０において、所定サイズ未満の区画１００が存在した場合、制御部７０は、処理をステップＳ９０に進める。ステップＳ９０で、制御部７０は、タッチ操作が為された区画１００とは異なる区画１００に、タッチ操作が為された画像データ３１に関連する関連画像データを表示する。その後、制御部７０は、処理をステップＳ１００に進める。
【００３５】
ステップＳ１００で、制御部７０は、所定の再生終了操作が為されたか否かを判定する。再生終了操作が為されていない場合、制御部７０は、処理をステップＳ５０に進める。再生終了操作が為されていた場合、制御部７０は、電子アルバムの再生処理を終了する。
【００３６】
上述した実施の形態によれば、次の作用効果が得られる。
（１）制御部７０は、表示画面に設けられた複数の区画１００に、選択された複数の画像データ３１をそれぞれ表示するよう制御する。制御部７０は、閲覧者の指示に基づき、複数の区画１００の表示態様と、複数の画像データ３１と、を共に変更させるよう制御する。このようにしたので、簡易な操作でレイアウトを変更可能な、使い勝手のよい表示装置を提供することができる。
【００３７】
（２）制御部７０が変更させる複数の区画１００の表示態様は、複数の区画１００の個数、形状、位置、およびサイズである。このようにしたので、簡易な操作でレイアウトを変更可能な、使い勝手のよい表示装置を提供することができる。
【００３８】
（３）制御部７０は、閲覧者の指示が複数の画像データ３１のいずれかに対する選択指示である場合には、選択指示の対象となった画像データ３１に関連する他の画像データ３１を表示する。このようにしたので、閲覧者の関心が高い画像が自動的により多く表示される、使い勝手のよい表示装置を提供することができる。
【００３９】
（４）制御部７０は、他の画像データ３１を表示するに際し、複数の区画１００に新たな区画１００を追加し、その新たな区画１００に他の画像データ３１を表示する。このようにしたので、閲覧者の関心が高い画像を同時に多数閲覧に供することができる。
【００４０】
（５）閲覧者の指示は、閲覧者によるタッチパネル７４へのタッチ操作である。このようにしたので、直感的な操作でレイアウトを変更可能な、使い勝手のよい表示装置を提供することができる。
【００４１】
（第２の実施の形態）
第２の実施の形態に係る画像再生システムは、第１の実施の形態で説明したものとは異なる操作形態を有している。以下、第２の実施の形態に係る画像再生システムと、第１の実施の形態に係る画像再生システムとの相違点について、図８を参照して説明する。なお、第１の実施の形態と同一の箇所については、第１の実施の形態と同一の符号を付して説明を省略する。
【００４２】
図８（ａ）は、電子アルバム再生時の初期画面を例示する図である。表示画面７３ｄと図５（ａ）に例示した表示画面７３ａとの違いは、画面下部にスライダー１１０が設けられている点である。スライダー１１０は、タッチ操作によってインジケータ１１１を画面左右方向に移動させることができるＧＵＩ部品である。
【００４３】
電子アルバムの再生開始時、インジケータ１１１は画面左端に位置している。閲覧者は、表示画面７３ａに表示された４つの画像データＡ１，Ｂ１，Ｃ１，Ｄ１から、興味のある画像データ３１を見つける。閲覧者は、その画像データ３１が表示されている区画１００にタッチ操作を行うことで、その画像データ３１を選択状態にすることができる。複数の画像データ３１は同時に選択状態にならない。既に選択状態になっている画像データ３１が存在するときに、他の画像データ３１にタッチ操作が為されると、前者の画像データ３１の選択状態は解除され、後者の画像データ３１が選択状態になる。閲覧者は、興味のある画像データ３１を選択状態にし、その後、スライダー１１０のインジケータ１１１を画面右方向に移動させることで、その画像データ３１に興味があることを制御部７０に指示することができる。つまり、画像データ３１を選択状態にするタッチ操作と、インジケータ１１１を画面右方向に移動させるタッチ操作は、区画１００に表示されている画像データ３１の選択指示である。
【００４４】
制御部７０は、選択状態の区画１００を、他の区画１００とは異なる態様で画面に表示し、その区画１００が選択状態であることを閲覧者に知らせる。例えば図８（ａ）では、第１区画１００ａに網掛けが為されている。これは、第１区画１００ａが選択状態であることを示している。これ以外に、第１区画１００ａを点滅させたり、第１区画１００ａを太さや色が異なる線で囲ったり、カーソルやアイコン等のシンボルを第１区画１００ａに重畳して表示させたり等、種々の方法で、区画１００が選択状態であることを知らせてよい。
【００４５】
閲覧者は、選択状態の画像データ３１に対する関心の高さを、インジケータ１１１の移動量により示すことができる。閲覧者は、選択状態の画像データ３１に対してより関心が高いほど、インジケータ１１１を右方向に大きく動かす。制御部７０は、インジケータ１１１の移動量が大きいほど、より多くの関連画像データを、表示画面に新たに表示する。
【００４６】
図８（ｂ）は、図８（ａ）のインジケータ１１１を画面右方向に所定量ｍ１だけ移動させた後の表示画面７３ｅを例示する図である。この場合、制御部７０は、選択状態の第１区画１００ａの近傍に、新たに第５区画１００ｅおよび第６区画１００ｆを設ける。制御部７０は、第１区画１００ａ以外の既存の区画１００である第２区画１００ｂ、第３区画１００ｃ、および第４区画１００ｄを縮小して、第５区画１００ｅおよび第６区画１００ｆの表示領域を確保する。つまり制御部７０は、複数の区画１００の個数、形状、位置、およびサイズを変更する。
【００４７】
新たに設けられた第５区画１００ｅおよび第６区画１００ｆには、それぞれ、第１区画１００ａに表示されていた画像データＡ１に関連する関連画像データが表示される。制御部７０は、第１区画１００ａに表示されていた画像データＡ１のカテゴリ、すなわちカテゴリＡに属する他の画像データＡ２および画像データＡ３を、関連画像データとして第５区画１００ｅおよび第６区画１００ｆに表示する。
【００４８】
図８（ｃ）は、図８（ａ）のインジケータ１１１を画面右方向に所定量ｍ２だけ移動させた後の表示画面７３ｆを例示する図である。所定量ｍ２は、図８（ｂ）に例示した所定量ｍ１よりも大きい。この場合、制御部７０は、選択状態の第１区画１００ａの近傍に、新たに第５区画１００ｅおよび第６区画１００ｆを設けて画像データＡ２および画像データＡ３を表示すると共に、既存の第２区画１００ｂ、第３区画１００ｃ、および第４区画１００ｄに、カテゴリＡに属する画像データＡ４、Ａ５、Ａ６を表示する。換言すると、制御部７０は、図８（ｂ）よりも多数の関連画像データを画面に表示させる。
【００４９】
以上のように、制御部７０は、区画１００を選択状態にしてスライダー１１０を操作する度に、複数の区画１００の表示態様と、複数の区画１００に表示する複数の画像データ３１と、を共に変更させる。
【００５０】
上述した実施の形態によれば、次の作用効果が得られる。
（６）制御部７０は、表示画面に設けられた複数の区画１００に、選択された複数の画像データ３１をそれぞれ表示するよう制御する。制御部７０は、閲覧者の指示に基づき、複数の区画１００の表示態様と、複数の画像１００と、を共に変更させるよう制御するこのようにしたので、簡易な操作でレイアウトを変更可能な、使い勝手のよい表示装置を提供することができる。
【００５１】
（７）制御部７０が変更させる複数の区画１００の表示態様は、複数の区画１００の個数、形状、位置、およびサイズである。このようにしたので、簡易な操作でレイアウトを変更可能な、使い勝手のよい表示装置を提供することができる。
【００５２】
（８）制御部７０は、閲覧者の指示が複数の画像データ３１のいずれかに対する選択指示である場合には、選択指示の対象となった画像データ３１に関連する他の画像データ３１を表示させる。このようにしたので、閲覧者の関心が高い画像が自動的により多く表示される、使い勝手のよい表示装置を提供することができる。
【００５３】
（９）制御部７０は、他の画像データ３１を表示するに際し、複数の区画１００に新たな区画１００を追加し、その新たな区画１００に他の画像データ３１を表示する。このようにしたので、閲覧者の関心が高い画像を同時に多数閲覧に供することができる。
【００５４】
（１０）閲覧者の指示は、閲覧者による画像データ３１へのタッチ操作およびスライダー１１０へのタッチ操作である。このようにしたので、直感的な操作でレイアウトを変更可能な、使い勝手のよい表示装置を提供することができる。
【００５５】
（第３の実施の形態）
第３の実施の形態に係る画像再生システムは、上述した各実施の形態で説明したものとは異なる操作形態を有している。以下、第３の実施の形態に係る画像再生システムと、上述した実施の形態に係る画像再生システムとの相違点について、図９を参照して説明する。なお、第１の実施の形態と同一の箇所については、第１の実施の形態と同一の符号を付して説明を省略する。
【００５６】
電子アルバム再生時の初期画面は、図５（ａ）に例示した表示画面７３ａである。閲覧者は、表示画面７３ａに表示された４つの画像データＡ１，Ｂ１，Ｃ１，Ｄ１から、興味のある画像データ３１を見つける。第２の実施の形態と同様に、閲覧者は、その画像データ３１が表示されている区画１００にタッチ操作を行うことで、その画像データ３１を選択状態にすることができる。
【００５７】
図９（ａ）は、画像データ３１を選択状態にした直後の表示画面７３ｇを例示する図である。画像データ３１を選択状態にすると、制御部７０は、表示画面に重畳して、操作パネル１２０ａをポップアップ表示する。
【００５８】
図９（ｂ）は、操作パネル１２０ａの説明図である。操作パネル１２０ａには、正方形のボタン１２１が計９個、３×３で配列されている。各々のボタン１２１は、特定の表示設定に関連付けられている。閲覧者がいずれかのボタン１２１に対してタッチ操作を行うと、制御部７０は、画面表示に、そのボタン１２１に対応する表示設定を適用する。
【００５９】
図９（ｂ）の例において、表示設定とは、画面に同時に表示される区画１００の個数と、電子アルバムのページ数との組み合わせである。つまり、各々のボタン１２１には、区画１００の個数とページ数とが関連付けられており、閲覧者がいずれかのボタン１２１にタッチ操作を行うと、区画１００の個数とページ数とが変化する。いずれかのボタン１２１にタッチ操作が行われた時点で、操作パネル１２０ａの表示は終了する。
【００６０】
区画１００の個数は操作パネル１２０ａの左右方向と連動している。操作パネル１２０ａの左側にあるボタン１２１ほど、対応する区画１００の個数は少なく、操作パネル１２０ａの右側にあるボタン１２１ほど、対応する区画１００の個数が多い。電子アルバムのページ数は操作パネル１２０ａの上下方向と連動している。操作パネル１２０ａの下側にあるボタン１２１ほど、対応するページ数は少なく、操作パネル１２０ａの上側にあるボタン１２１ほど、対応するページ数は多い。
【００６１】
閲覧者は、選択状態にした画像データ３１の関連画像データに対する関心の高さに応じて、タッチ操作を行うボタン１２１を選択する。例えば、関心が高く、より多くの関連画像データを閲覧したい場合には、操作パネル１２０ａの右側にあるボタン１２１に対してタッチ操作を行えばよい。このとき制御部７０は、図５（ｃ）のように、多数の区画１００で関連画像データを表示する。制御部７０は、必要であれば、区画１００の個数を増やす。また、ページ数が多いほど、選択状態にした画像データ３１の関連画像データ以外の画像データ３１を閲覧することが可能になる。従って、閲覧者は、より多様な画像データ３１を閲覧したい場合には、操作パネル１２０ａの上側にあるボタン１２１に対してタッチ操作を行えばよい。
【００６２】
図９（ｃ）は、図９（ｂ）に例示した操作パネル１２０ａとは別種の操作パネル１２０ｂが表示されている表示画面７３ｈを例示する図である。どの画像データ３１も選択状態になっていないときに、閲覧者が所定のパネル表示操作を行うと、制御部７０は、表示画面に重畳して、操作パネル１２０ｂをポップアップ表示する。所定のパネル表示操作は、例えばタッチパネル７４に対するタッチ操作や不図示の操作部材への操作である。
【００６３】
操作パネル１２０ｂは、図９（ｂ）に例示した操作パネル１２０ａと同様に、計９個のボタン１２１を有している。各々のボタン１２１には、電子アルバムに含まれるカテゴリデータ３３が示すカテゴリの名称が表記されている。図９（ｃ）に図示したＡ〜Ｉの計９種類のアルファベットが、実際には、例えば「人物」、「移動車」等の各カテゴリの名称になる。
【００６４】
閲覧者は、表示された各カテゴリに対する関心の高さに応じて、タッチ操作を行うボタン１２１を選択する。制御部７０は、タッチ操作が行われたボタンに対応するカテゴリの画像データ３１がより多く表示されるように、画面表示を変更する。例えば、閲覧者が「Ａ」というカテゴリの名称が表記されたボタン１２１にタッチ操作を行った場合、制御部７０は、カテゴリＡに属する画像データ３１がより多く表示されるように、画面表示を変更する。制御部７０は、必要であれば、区画１００の個数を増やす。例えば、カテゴリＡに属する画像データ３１が、他のカテゴリに属する画像データ３１よりも相対的に多い場合には、区画１００の個数を増やす。逆に、カテゴリＡに属する画像データ３１が、他のカテゴリに属する画像データ３１よりも相対的に少ない場合には、区画１００の個数を減らす。
【００６５】
以上のように、制御部７０は、操作パネル１２０ａ、１２０ｂを操作する度に、複数の区画１００の表示態様と、複数の区画１００に表示する複数の画像データ３１と、を共に変更させる。
【００６６】
上述した実施の形態によれば、次の作用効果が得られる。
（１１）制御部７０は、表示画面に設けられた複数の区画１００に、選択された複数の画像データ３１をそれぞれ表示するよう制御する。制御部７０は、閲覧者の指示に基づき、複数の区画１００の表示態様と、複数の画像データ３１と、を共に変更させるよう制御する。このようにしたので、簡易な操作でレイアウトを変更可能な、使い勝手のよい表示装置を提供することができる。
【００６７】
（１２）制御部７０が変更させる複数の区画１００の表示態様は、複数の区画１００の個数、形状、位置、およびサイズである。このようにしたので、簡易な操作でレイアウトを変更可能な、使い勝手のよい表示装置を提供することができる。
【００６８】
（１３）制御部７０は、閲覧者の指示が複数のカテゴリのいずれかに対する選択指示である場合には、選択指示の対象となったカテゴリに関連し表示中の複数の画像データ３１とは異なる他の画像データ３１を表示させる。このようにしたので、閲覧者の関心が高い画像が自動的により多く表示される、使い勝手のよい表示装置を提供することができる。
【００６９】
（１４）制御部７０は、他の画像データ３１を表示するに際し、複数の区画１００に新たな区画１００を追加し、その新たな区画１００に他の画像データ３１を表示する。このようにしたので、閲覧者の関心が高い画像を同時に多数閲覧に供することができる。
【００７０】
（１５）閲覧者の指示は、閲覧者によるボタン１２１へのタッチ操作である。このようにしたので、直感的な操作でレイアウトを変更可能な、使い勝手のよい表示装置を提供することができる。
【００７１】
（第４の実施の形態）
上述した各実施の形態に係る画像再生システムは、静止画を記録した画像データ３１を扱うものであった。第４の実施の形態に係る画像再生システムは、静止画を記録した画像データ３１と、動画を記録した画像データ３１とを扱うことができる。以下、第４の実施の形態に係る画像再生システムと、第１の実施の形態に係る画像再生システムとの相違点について、図１０を参照して説明する。なお、第１の実施の形態と同一の箇所については、第１の実施の形態と同一の符号を付して説明を省略する。
【００７２】
本実施の形態において、画像データ３１には、静止画が記録された画像データ３１と、動画が記録された画像データ３１とが含まれる。従って、１つの電子アルバムデータ３２に含まれる画像データ３１にも、静止画と動画とが含まれることになる。制御部７０は、区画１００を、静止画表示用のものと、動画再生用のものに適宜分類する。例えば、画面に表示される区画１００の半分を静止画表示用に、残りを動画再生用にする。あるいは、電子アルバムに含まれる画像データ３１のうちの静止画の割合を、区画１００に含まれる静止画表示用の区画１００の割合とする。
【００７３】
図１０は、電子アルバム再生時の表示画面７３ｉを例示する図である。図５（ａ）に例示した表示画面７３ａとの違いは、第１区画１００ａおよび第４区画１００ｄが、動画用の区画１００である点である。制御部７０は、動画用の区画１００に重畳して、動画の再生を制御するための種々のＧＵＩ部品を画面に表示する。例えば図１０では、第１区画１００ａおよび第４区画１００ｄに重畳して、シークバー１３０およびボタン１３１が表示されている。シークバー１３０は、動画の再生位置を表示および設定するためのＧＵＩ部品である。ボタン１３１は、動画の再生を一時停止したり再開したりするＧＵＩ部品である。閲覧者は、これらのＧＵＩ部品を操作することで、動画の再生位置を設定したり、動画の再生を一時停止したり再開したりすることができる。
【００７４】
制御部７０は、１つの動画再生用の区画１００に対して、特定のカテゴリに属する複数の画像データ３１（動画）を割り当てる。制御部７０は、その区画１００において、割り当てられた複数の画像データ３１（動画）を順に再生する。つまり、複数の画像データ３１（動画）を、１つの区画１００において時分割的に再生する。カテゴリの特定方法は、第１の実施の形態で説明した静止画の場合と同様であるので、説明を省略する。そのカテゴリに属する複数の画像データ３１（動画）から、区画１００に割り当てる画像データ３１（動画）を選択する方法は、例えば被写体抽出、手振れ大小などによる、既存の画像判定技術を用いて適宜定めればよい。
【００７５】
なお、区画１００内で再生するのではなく、表示画面全体で動画を再生してもよい。この場合、制御部７０は、閲覧者が特定の区画１００に対する再生指示を入力したことに応じて、その区画１００に割り当てられた複数の画像データ３１の画面全体による再生を開始する。
【００７６】
また、１つの区画１００内で時分割的に動画を再生する際、２つ目以降の動画が、区画１００よりも小さなサイズで再生されるようにしてもよい。例えば、１つ目の動画は、区画１００全体に広がって再生され、２つ目の動画は、区画１００よりも一回り小さいサイズで再生される。このとき、２つ目の動画の周囲には、１つ目の動画の最終フレームの画像が表示され続ける。３つ目の動画は、更に一回り小さいサイズで再生される。このようにすると、その区画１００に複数の動画が割り当てられていることを、一目で把握することができる。
【００７７】
本実施の形態でも、第１の実施の形態と同様に、閲覧者は、静止画用の区画１００にタッチ操作を行うことで、その区画１００に表示されている画像データ３１に興味があることを制御部７０に指示することができる。つまり、このタッチ操作は、区画１００に表示されている画像データ３１の選択指示である。このタッチ操作が為された場合、制御部７０は、第１の実施の形態と同様の処理を実行する。すなわち、このタッチ操作に応じて、図５（ｂ）のように、表示画面７３ａに新たな区画１００を追加する。その新たな区画１００には、閲覧者が興味のある画像データ３１に関連する他の画像データ３１（関連画像データ）が表示される。もしくは、図５（ｃ）のように、既存の区画１００に表示する画像データ３１を、タッチ操作が為された区画１００に表示されている画像データ３１と同一カテゴリの画像データ３１に切り替える。
【００７８】
動画用の区画１００に対するタッチ操作について説明する。閲覧者は、動画用の区画１００に表示されたシークバー１３０に対して、タッチ操作の一種であるピンチイン操作およびピンチアウト操作を行うことができる。ピンチイン操作は、例えば２本の指でシークバー１３０に接触し、接触状態を保ったまま２本の指の間隔を狭めるタッチ操作である。ピンチアウト操作は、例えば２本の指でシークバー１３０に接触し、接触状態を保ったまま２本の指の間隔を広げるタッチ操作である。
【００７９】
閲覧者が特定の区画１００のシークバー１３０に対して、ピンチアウト操作を行うと、制御部７０は、その区画１００に割り当てられた画像データ３１（動画）を増加させる。例えば、２つの画像データ３１（動画）が割り当てられた区画１００のシークバー１３０に対して所定量のピンチアウト操作が為された場合、更に２つの画像データ３１（動画）をその区画１００に追加で割り当てる。結果として、その区画１００には計４つの画像データ３１（動画）が割り当てられた状態になる。追加で割り当てられる画像データ３１（動画）は、その区画１００に既に割り当てられている画像データ３１（動画）と同一カテゴリに属する他の画像データ３１（動画）である。
【００８０】
制御部７０は、ピンチアウト操作の操作量の大きさに応じた数の画像データ３１（動画）を割り当てる。つまり、大きくピンチアウト操作を行うと、より多くの画像データ３１（動画）が割り当てられる。
【００８１】
なお、追加で割り当てられる画像データ３１（動画）は、その区画１００に既に割り当てられている画像データ３１（動画）とは異なるカテゴリに属する他の画像データ３１（動画）であってもよい。例えば、ある区画１００に、カテゴリＡに属する画像データＡ１、Ａ２が割り当てられており、再生中の電子アルバムデータ３２には、カテゴリＡに属する他の画像データ３１が存在しないとする。この場合、その区画１００に、追加でカテゴリＡに属する他の画像データ３１を割り当てることができない。このような場合に、制御部７０が、カテゴリＡ以外のカテゴリに属する画像データ３１を新たにその区画１００に割り当ててもよい。この場合において、カテゴリＡに関連する他のカテゴリに属する画像データ３１を割り当てることが望ましい。例えば、カテゴリＡが「電車」である場合、「駅」など、「電車」に関連する別のカテゴリに属する画像データ３１を割り当てることが望ましい。
【００８２】
閲覧者が特定の区画１００のシークバー１３０に対して、ピンチイン操作を行うと、制御部７０は、上述したピンチアウト操作と逆の処理を行う。すなわち、その区画１００に割り当てられた画像データ３１（動画）を減少させる。
【００８３】
なお、シークバー１３０ではなく、区画１００に対してピンチアウト操作やピンチイン操作を行うようにしてもよい。
【００８４】
上述した実施の形態によれば、次の作用効果が得られる。
（１６）制御部７０は、表示画面に設けられた複数の区画１００に、選択された複数の画像データ３１をそれぞれ表示するよう制御する。制御部７０は、閲覧者の指示に基づき、複数の区画１００の表示態様と、複数の画像データ３１と、を共に変更させるよう制御する。このようにしたので、簡易な操作でレイアウトを変更可能な、使い勝手のよい表示装置を提供することができる。
【００８５】
（１７）制御部７０が変更させる複数の区画１００の表示態様は、複数の区画１００の個数、形状、位置、およびサイズである。このようにしたので、簡易な操作でレイアウトを変更可能な、使い勝手のよい表示装置を提供することができる。
【００８６】
（１８）制御部７０は、閲覧者の指示が複数の画像データ３１のいずれかに対する選択指示である場合には、選択指示の対象となった画像データ３１に関連する他の画像データ３１を表示する。このようにしたので、閲覧者の関心が高い画像が自動的により多く表示される、使い勝手のよい表示装置を提供することができる。
【００８７】
（１９）制御部７０は、他の画像データ３１を表示するに際し、複数の区画１００に新たな区画１００を追加し、その新たな区画１００に他の画像データ３１を表示する。このようにしたので、このようにしたので、閲覧者の関心が高い画像を同時に多数閲覧に供することができる。
【００８８】
（２０）閲覧者の指示は、閲覧者によるタッチパネル７４へのタッチ操作である。このようにしたので、直感的な操作でレイアウトを変更可能な、使い勝手のよい表示装置を提供することができる。
【００８９】
（２１）複数の画像データ３１は、複数の動画を含む。制御部７０は、複数の区画１００のうち少なくとも１つの区画１００に複数の動画を割り当て、１つの区画１００において時分割的に複数の動画を再生する。このようにしたので、複数の動画を限定的な表示スペース内で再生することができる。
【００９０】
（２２）制御部７０は、閲覧者の指示が１つの区画１００に対する選択操作であった場合には、複数の動画の少なくとも１つに関連する他の動画を用いて複数の動画の再生を変更する。このようにしたので、閲覧者の関心の高さに応じて再生される動画を適切に切り替えることができる。
【００９１】
（第５の実施の形態）
上述した第４の実施の形態に係る画像再生システムは、ピンチイン操作およびピンチアウト操作を行うことで、区画１００に割り当てられた動画の数を増減させることが可能に構成されていた。第５の実施の形態に係る画像再生システムは、より多様な動画を閲覧可能な操作体系を有している。以下、第５の実施の形態に係る画像再生システムと、第４の実施の形態に係る画像再生システムとの相違点について、図１１〜１３を参照して説明する。なお、第４の実施の形態と同一の箇所については、第４の実施の形態と同一の符号を付して説明を省略する。
【００９２】
図１１は、電子アルバム再生時の表示画面７３ｊを例示する図である。例えば区画１００ａには、各々がカテゴリＡに属する、画像データＡ１、Ａ２、Ａ３が割り当てられている。画像データＡ１は、カテゴリＡだけでなく、カテゴリＢにも属している。画像データＡ２は、カテゴリＡにのみ属している。画像データＡ３は、カテゴリＡだけでなく、カテゴリＣにも属している。再生中の電子アルバムデータ３２には、カテゴリＢに属する動画である他の画像データＢ１、Ｂ２と、カテゴリＣに属する動画である他の画像データＣ１、Ｃ２、Ｃ３が含まれる。
【００９３】
このように、区画１００ａに割り当てられた動画に、更に関連する他の動画が存在する場合、制御部７０は、区画１００ａに関連画像アピール操作部１４０を表示する。関連画像アピール操作部１４０は、第１区画１００ａと第２区画１００ｂおよび第３区画１００ｃとの境界部に表示される、横長のＧＵＩ部品である。関連画像アピール操作部１４０は、第１区画１００ａに現在割り当てられている画像データ３１に関連する他の関連画像データの存在を示す指標である。閲覧者は、関連画像アピール操作部１４０を視認することで、第１区画１００ａに関連画像データが存在することを認識することができる。
【００９４】
閲覧者は、関連画像アピール操作部１４０に対して、タッチ操作の一種であるフリック操作を行うことができる。フリック操作は、例えば１本の指で関連画像アピール操作部１４０に接触し、接触状態を保ったままその指を画面下方向に移動させるタッチ操作である。
【００９５】
図１２は、第１区画１００ａにおいて画像データＡ１が再生中であった場合に、関連画像アピール操作部１４０に対してフリック操作を行った後の表示画面７３ｋを例示する図である。フリック操作が行われると、制御部７０は、第１区画１００ａの下部に、新たに第５区画１００ｅおよび第６区画１００ｆを設ける。制御部７０は、第１区画１００ａ以外の既存の区画１００である第２区画１００ｂ、第３区画１００ｃ、および第４区画１００ｄを縮小して、第５区画１００ｅおよび第６区画１００ｆの表示領域を確保する。つまり制御部７０は、複数の区画１００の個数、形状、位置、およびサイズを変更する。関連画像アピール操作部１４０は、第５区画１００ｅおよび第６区画１００ｆと、第２区画１００ｂおよび第３区画１００ｃとの間に移動する。
【００９６】
フリック操作が為されたとき第１区画１００ａにおいて画像データＡ１が再生中であった場合、制御部７０は、新たに設けた第５区画１００ｅおよび第６区画１００ｆに、カテゴリＢに属する動画である画像データＢ１、Ｂ２をそれぞれ割り当てる。つまり制御部７０は、関連画像アピール操作部１４０にフリック操作が為されると、表示画面に新たな区画１００を追加して、その新たな区画１００に他の画像データ３１（動画）を割り当てる。ここで新たに割り当てられる他の画像データ３１（動画）とは、関連画像アピール操作部１４０に対応する区画１００で再生中の画像データ３１（動画）に関連する関連画像データである。
【００９７】
図１３は、第１区画１００ａにおいて画像データＡ３が再生中であった場合に、関連画像アピール操作部１４０に対してフリック操作を行った後の表示画面７３ｌを例示する図である。フリック操作が行われると、制御部７０は、第１区画１００ａの下部に、新たに第５区画１００ｅ、第６区画１００ｆ、および第７区画１００ｇを設ける。
【００９８】
フリック操作が為されたとき第１区画１００ａにおいて画像データＡ３が再生中であった場合、制御部７０は、新たに設けた第５区画１００ｅ、第６区画１００ｆ、および第７区画１００ｇに、カテゴリＣに属する動画である画像データＣ１、Ｃ２、Ｃ３をそれぞれ割り当てる。つまり制御部７０は、関連画像アピール操作部１４０にフリック操作が為されると、表示画面に新たな区画１００を追加して、その新たな区画１００に他の画像データ３１（動画）を割り当てる。ここで新たに割り当てられる他の画像データ３１（動画）とは、関連画像アピール操作部１４０に対応する区画１００で再生中の画像データ３１（動画）に関連する関連画像データである。
【００９９】
なお、第１区画１００ｂにおいて、関連画像データが存在しない画像データＡ２を再生中である場合、関連画像アピール操作部１４０はフリック操作を受け付けない。このとき、関連画像アピール操作部１４０や第１区画１００ｂの表示態様を変更し、関連画像データが存在しないことを閲覧者に示唆してもよい。例えば関連画像アピール操作部１４０の表示色を淡い色に変化させてもよい。関連画像アピール操作部１４０の表示態様に、これとは異なる意味合いを持たせることもできる。例えば、関連画像データが閲覧済みか否かで、関連画像アピール操作部１４０の色合いが変化してもよい。
【０１００】
また、既存の区画１００を縮小して新たな区画１００を設け、その新たな区画１００に関連画像データを割り当てるのではなく、既存の区画１００に直接関連画像データを割り当ててもよい。例えば図１１（ａ）に例示した表示画面７３ｊにおいて、第２区画１００ｂおよび第３区画１００ｃに、それぞれ画像データＢ１、Ｂ２を割り当ててもよい。
【０１０１】
上述した実施の形態によれば、次の作用効果が得られる。
（２３）制御部７０は、表示画面に設けられた複数の区画１００に、選択された複数の画像データ３１をそれぞれ表示するよう制御する。制御部７０は、閲覧者の指示に基づき、複数の区画１００の表示態様と、複数の画像データ３１と、を共に変更させるよう制御する。このようにしたので、簡易な操作でレイアウトを変更可能な、使い勝手のよい表示装置を提供することができる。
【０１０２】
（２４）制御部７０が変更させる複数の区画１００の表示態様は、複数の区画１００の個数、形状、位置、およびサイズである。このようにしたので、簡易な操作でレイアウトを変更可能な、使い勝手のよい表示装置を提供することができる。
【０１０３】
（２５）制御部７０は、閲覧者の指示が複数の画像データ３１のいずれかに対する選択指示である場合には、選択指示の対象となった画像データ３１に関連する他の画像データ３１を表示させる。このようにしたので、閲覧者の関心が高い画像が自動的により多く表示される、使い勝手のよい表示装置を提供することができる。
【０１０４】
（２６）制御部７０は、他の画像データ３１を表示するに際し、複数の区画１００に新たな区画１００を追加し、その新たな区画１００に他の画像データ３１を表示する。このようにしたので、閲覧者の関心が高い画像を同時に多数閲覧に供することができる。
【０１０５】
（２７）閲覧者の指示は、閲覧者によるタッチパネル７４のタッチ操作である。このようにしたので、直感的な操作でレイアウトを変更可能な、使い勝手のよい表示装置を提供することができる。
【０１０６】
（２８）複数の画像データ３１は、複数の動画を含み、制御部７０は、複数の区画１００のうち少なくとも１つの区画１００に複数の動画を割り当て、１つの区画１００において時分割的に複数の動画を再生する。このようにしたので、複数の動画を限定的な表示スペース内で再生することができる。
【０１０７】
（２９）制御部７０は、閲覧者の指示が１つの区画１００に対する選択操作であった場合には、複数の動画の少なくとも１つに関連する他の動画を用いて複数の動画の再生を変更する。このようにしたので、閲覧者の関心の高さに応じて再生される動画を適切に切り替えることができる。
【０１０８】
（３０）制御部７０は、複数の区画１００のうち少なくとも１つの区画１００について、その１つの区画１００に表示されている画像データ３１に関連する関連画像データが存在する場合、関連画像データの存在を示す指標である関連画像アピール操作部１４０を表示する。このようにしたので、関連画像データの存在を容易に把握することができる。
【０１０９】
（３１）制御部７０は、関連画像アピール操作部１４０が表示されているときに閲覧者によりフリック操作が為されると、新たな区画１００を追加し、新たな区画１００に関連画像データを表示する。このようにしたので、簡易な操作で関連画像データを閲覧することができる、使い勝手のよい表示装置を提供することができる。
【０１１０】
（３２）制御部７０は、関連画像アピール操作部１４０を、関連画像アピール操作部１４０に対応する区画１００とその区画１００に隣接する他の区画１００との境界部分に表示し、閲覧者によりフリック操作が為されると、境界部分に新たな区画１００を追加し、新たな区画１００に関連画像データを表示する。このようにしたので、互いに関連する画像データ３１同士が近い場所で再生される、使い勝手のよい表示装置を提供することができる。
【０１１１】
次のような変形例の一つ、もしくは複数を上述した第１〜第５の実施の形態と組み合わせることも可能である。
【０１１２】
（変形例１）
区画１００に表示する画像データ３１の優先順位を決定する方法は、図６を用いて説明した方法と異なっていてもよい。例えば、閲覧者による画像データ３１ごとの過去の閲覧時間および閲覧回数を記録しておき、その閲覧時間および閲覧回数に基づき優先順位を決定してもよい。また、ＳＮＳ等による閲覧者の興味分析により決定してもよい。
【０１１３】
優先順位だけでなく、区画１００のサイズ等を過去の閲覧時間および閲覧回数に基づき決定してもよい。例えば、よく閲覧する画像データ３１を表示する区画１００のサイズを、他の区画１００より大きくしてもよい。逆に、よく閲覧する画像データ３１を表示する区画１００のサイズを、他の区画１００より小さくしてもよい。
【０１１４】
動画の再生時間を、以上の情報に基づき決定してもよい。例えば、閲覧者が初めて閲覧する画像データ３１（動画）は全期間を再生するが、既に何回か閲覧したことのある画像データ３１（動画）は、その一部分（例えば重要部分）のみを再生するようにしてもよい。逆に、よく閲覧する画像データ３１（動画）については、他の画像データ３１（動画）よりも再生時間を長くしてもよい。
【０１１５】
上述した変形例によれば、次の作用効果が得られる。
（３３）制御部７０は、閲覧者が過去に閲覧した画像データ３１ごとの閲覧時間および閲覧回数の履歴に基づき、複数の区画１００の表示態様と、複数の画像データ３１と、を共に変更させる。このようにしたので、閲覧者ごとに最適化された表示装置を提供することができる。
【０１１６】
（変形例２）
区画１００に表示する画像データ３１の優先順位を、画像データ３１の編集履歴に基づき決定してもよい。例えば、サーバ３に画像データ３１を送信する前に、いわゆるフォトレタッチソフトや動画編集ソフト等を用いて、画像データ３１を加工編集することができるが、この加工編集に関する情報も画像データ３１と共にサーバ３に送信する。この場合、制御部７０が、加工編集の回数が多い画像データ３１ほど優先的に表示するようにしてもよい。
【０１１７】
上述した変形例によれば、次の作用効果が得られる。
（３４）制御部７０は、過去に為された編集操作の回数が多い画像データ３１ほど優先的に複数の画像データ３１として選択する。このようにしたので、編集者がより加工編集に力を入れた、品質の高い画像データ３１を、優先的に閲覧者に閲覧させることができる。
【０１１８】
（変形例３）
上述した各実施の形態では、タッチパネル７４を用いたタッチ操作により携帯機器７を操作する例について説明した。つまり、閲覧者による指示は、全てタッチパネル７４を用いたタッチ操作により制御部７０に入力されていた。これを、他の操作部材（例えばメカニカルスイッチ等）を用いた操作で置き換えてもよい。
【０１１９】
また、種々のセンサにより検出された閲覧者の所定動作で置き換えることも可能である。例えば、閲覧者の視線を撮像装置により検出し、視線の変化を閲覧者による指示とすることができる。別の例としては、赤外線センサ等により閲覧者の手の動きを検出し、所定の手の動きを指示とすることもできる。また、マイクロフォンで閲覧者の音声を検出し、所定の音声を指示とすることも可能である。
【０１２０】
上述した変形例によれば、次の作用効果が得られる。
（３５）閲覧者の指示は、所定のセンサにより検出された閲覧者の所定動作である。このようにしたので、より直感的に操作可能な表示装置を提供することができる。
【０１２１】
（変形例４）
第４の実施の形態において、閲覧者のピンチイン操作およびピンチアウト操作は、１つの区画１００に割り当てられた動画の数を増減させていた。これを、既に割り当てられている動画の再生時間を増減させるようにしてもよい。例えば、各々の動画の再生時間を予め１分だけに限定しておく。閲覧者がある区画１００のシークバー１３０に対してピンチアウト操作を行うと、この１分という時間が２分や３分に増加する。ピンチアウト操作を行うと、逆に、５０秒や４０秒に減少する。また、その区画１００に割り当てられている全ての動画の再生時間を増減させるのではなく、現在再生中の動画の再生時間のみを増減させるようにしてもよい。
【０１２２】
（変形例５）
上述した各実施の形態において、携帯機器７はタブレット端末であったが、これを他の形態の端末としてもよい。例えば、いわゆるスマートフォンであってもよい。携帯機器７が、画面サイズの異なる種々の端末である場合、画面サイズに応じて区画１００の個数を変化させることもできる。
【０１２３】
（変形例６）
以上で説明した操作方法および表示方法は一例であり、異なる操作方法や表示方法を採用してもよい。例えば、第１の実施の形態では、特定の画像データ３１をタッチすると、区画１００を増やして、その画像データ３１に関連する関連画像データを表示していた。これを、特定の画像データ３１に対してピンチイン操作やピンチアウト操作を行うようにしてもよい。この場合、ピンチアウト操作が為されると、区画１００を増やして、その画像データ３１に関連する関連画像データを表示する。逆に、ピンチイン操作が為されると、区画１００を減らす。その他、操作方法の変形例として、ピンチイン操作とピンチアウト操作を逆転させてもよいし、インジケータ１１１の位置を左右逆転させてもよい。
【０１２４】
（変形例７）
以上で説明した操作方法および表示方法は一例であり、異なる操作方法や表示方法を採用してもよい。例えば、図１４に示す様に、Ａ１／Ｂ１／Ｃ１／Ｄ１の画像が表示された区画において、閲覧者がＢ１の画像をタッチすると、Ａ１／Ｂ１の表示画像は変更せず、Ｃ１の画像が表示されていた区画を２つの区画に分割し、Ｂ１の画像に関連した画像Ｂ２／Ｂ３を表示し、Ｄ１の画像が表示されていた区画を２つの区画に分割し、Ｃ１とＤ１の画像を表示してもよい。次に、閲覧者がＢ１の画像（またはＢ２、Ｂ３の画像）を操作するとＢ１に関連する画像が表示されるようにしてもよい。
【０１２５】
（変形例８）
以上で説明した操作方法および表示方法は一例であり、異なる操作方法や表所方法を採用してもよい。例えば、図１５に示す様に、Ａ１／Ｂ１／Ｃ１／Ｄ１の画像が表示された区画において、閲覧者が所望する画像を固定（ロック）し、その他の画像が表示されている区画部分の表示領域について区画分けと表示画像を変更することが可能である。閲覧者はＡ１／Ｄ１の画像に興味があり、２つの画像を変更しないために、画像を固定（ロック）する。画像の固定（ロック）の操作方法は、例えば画像を長押ししてロック（鍵）マークを付けて区別してもよいし、ダブルタップする操作でロック（鍵）マークを付けてもよい。閲覧者によってロック（鍵）マークが付けられた画像は、その後の区画や表示画像が変化した場合でも、変化しない。閲覧者が画像に付けられたロック（鍵）マークを解除すると、その後の操作により表示画像の区画の変化や、画像の削除が可能になる。閲覧者によって画像を固定（ロック）する場合、表示画面の区画が６区画であれば固定（ロック）可能な区画は１区画から５区画までとなり、固定（ロック）されなかった残りの１区画が今後の処理で変化していく、つまり区画が分割され、新しい画像が区画に割り当てられるようになる。
【０１２６】
また、例えば閲覧者がＡ１の表示画像の区画の真ん中に線をひくような操作を行うと、区画が２分割されて新しい２つの区画にＡ１に関連する画像を表示してもよい。
【０１２７】
（その他の変形例）
上述の各実施の形態では、表示形態は携帯機器について述べたが、表示形態は携帯機器に限定されたものではなく、例えばタブレット端末やカメラボディ、テレビなどタッチ操作可能な表示機器であれば適用される。なお、タッチ操作に関して記述してきたが、パソコンのマウス操作や釦操作、または音声による指示操作や視線による指示操作、などのように選択可能な操作であればタッチ操作に限定されるものではない。
【０１２８】
また、上述した各実施の形態では、複数の区画１００が表示画面全体を覆っていた。これを、各々の区画１００の間に、隙間が設けられるようにしてもよい。つまり、複数の区画１００は必ずしも表示画面全体に隙間なく敷き詰められていなくてもよい。表示方法に関する他の例としては、液晶ディスプレイ７３の代わりに、国際公開ＷＯ２０１３／０７７３３８号公報に記載されているような、空中に立体像を表示する表示装置を採用することができる。
【０１２９】
また、上述した各実施の形態では、表示画面を縦姿勢（図５に示す様に、表示画面の長辺が縦方向、短辺が横方向となる位置を縦姿勢とする）の姿勢で閲覧者が閲覧しているケースについて述べているが、表示画面を横姿勢（縦姿勢とは異なり、表示画面の長辺が横方向、短辺が縦方向となる位置を横姿勢とする）の姿勢で閲覧者が閲覧するケースがあってもよい。閲覧者が表示画面を横姿勢で閲覧するケースでも、表示画面を縦姿勢で閲覧するケースと比較して、閲覧者の操作方法や画像の表示方法に変更はない。しかし、表示画面の縦姿勢と横姿勢で閲覧するケースでは、表示画面の区画の割り方や表示する画像の順番が異なってもよい。
【０１３０】
また、表示画面に画像を順次表示していく際に、画像が表示されない区画が生じてもよい。この画像が表示されない区画は、例えば関連する画像がもうないということを示し、或いは閲覧者がコメントを記入するためのメモ欄として空白の区画を利用することも可能である。
【０１３１】
また、閲覧者が閲覧を終了する際は、最終表示画面の区画と表示画像の内容をメモリ（携帯機器やカメラの内部メモリ、ＳＤカードなどの外部記録媒体、ＰＣやクラウド上の記録空間）にファイルとして保存してもよいし、保存せず閲覧機能を終了してもよい。ファイルとして保存する形態は、最終表示画面に表示された画像と最終区画の両方を保存してもよいし、最終表示画面に表示された画像のみ、または最終区画のどちらかのみを保存してもよい。最終表示画面の形態を保存した場合は、閲覧者はメモリから保存したファイルを選択することで閲覧を再開することができる。例えば、閲覧者が最終表示画面に表示された画像と最終区画の両方を保存した場合、閲覧者は保存したそのファイルを選択すると、閲覧を終了した画面を表示することができる。また、閲覧者が最終区画のみを保存した場合、閲覧者が保存された区画分割を選択すると、表示画面がその区画に分割され、任意の画像が割り当てられ表示される。また、閲覧者が最終表示画面に表示された画像のみを保存した場合、保存された画像ファイルから読み出されると、表示画面は画像の枚数に適した区画に分けられ、画像が表示される。もしくは、保存された画像が１枚ずつ順次表示されてもよい。
【０１３２】
また、閲覧者が閲覧操作を継続して行うと、表示画面に表示される区画のサイズが徐々に小さくなり、区画に割り当てられた表示画像が確認しにくい場合が起こり得る。そのような場合においては、区画のサイズに制限を設けてもよい。区画のサイズの制限（最小区画サイズ）は、閲覧者が設定してもよいし、表示画面の大きさに基づいて表示装置があらかじめ設定していてもよい。例えば上記変形例８のようにロックされた画像がある場合は、表示画像と区画を変更できる表示部分が少なくなるため、閲覧者操作の回数が少ない間に最小区画サイズに至る。逆に、区画のサイズの最大は、表示画面に画像を１枚だけ表示するサイズとしてもよい。
【０１３３】
また、初期の表示画面において閲覧者にとって興味がない画像が表示されている場合に、閲覧者は例えばスライド操作のような操作により興味のない画像については削除することも可能である。
また、表示画像の１つを拡大して表示したい場合は、閲覧者のタッチ操作やスライド操作で拡大可能であり、拡大表示を終了すると、拡大操作前の元の画面（表示画像と区画ともに）に戻る。
なお、分割したい区画に仕切りを設けるような操作（例えば線を引くような操作）を行った場合は、区画をそのように分かれた区画に分割し、各々の区画に画像を表示することが可能である。
【０１３４】
表示画面に対して、タッチ操作以外の操作を適用可能にしてもよい。以下、具体的な操作の例を説明する。
【０１３５】
図２５は、変形例における表示画面の例を示す図である。例えば、最初に図２５（ａ）に示す表示画面７３０ａが表示されているものとする。表示画面７３０ａには５つの区画が設けられている。５つの区画にはカテゴリＡに属する画像データＡ１と、カテゴリＢに属する画像データＢ１と、カテゴリＣに属する画像データＣ１と、カテゴリＤに属する画像データＤ１と、カテゴリＥに属する画像データＥ１と、がそれぞれ表示されている。
【０１３６】
閲覧者が画像データＡ１を（すなわち画像データＡ１が表示されている区画を）第１の時間（例えば３秒）だけ長押しすると、制御部７０は表示画面７３０ａを図２５（ｂ）に示す表示画面７３０ｂに変化させる。すなわち、各区画は画面左方向に全体的に縮小され、画面右側に縦長の領域７３１が設けられる。この領域７３１には、新たに画像データＡ２、画像データＡ３、画像データＡ４、画像データＡ５をそれぞれ表示する４つの区画が設けられる。これら４つの画像データＡ２〜Ａ５は、閲覧者が長押しした画像データＡ１の関連画像データである。
【０１３７】
図２５（ｂ）に示す表示画面７３０ｂにおいて、閲覧者が画像データＡ１を再び第１の時間だけ長押しすると、制御部７０は表示画面７３０ｂを図２５（ｃ）に示す表示画面７３０ｃに変化させる。すなわち、画面右側に設けられている領域７３１において、既存の区画が画面上方向に少しずつ縮小されると共に、それらの区画の下方向に新たに４つの区画が設けられる。追加された４つの区画には、閲覧者が長押しした画像データＡ１の関連画像データである画像データＡ６、Ａ７、Ａ８、Ａ９がそれぞれ表示される。
このように、閲覧者が第１の時間の長押しを行う度に、領域７３１における関連画像データの表示数が増えていく。
【０１３８】
図２５（ａ）に示す表示画面７３０ａにおいて、閲覧者が画像データＡ１を第１の時間よりも長い第２の時間（例えば５秒）だけ長押しすると、制御部７０は表示画面７３０ａを図２５（ｃ）に示す表示画面７３０ｃに変化させる。つまり、第２の時間の長押しを行うと、制御部７０は、閲覧者が第１の時間の長押しを２回繰り返した場合と同様に、表示画面７３０ｃを表示する。
【０１３９】
なお、長押し操作以外の操作によって図２５（ｂ）に示す表示画面７３０ｂや図２５（ｃ）に示す表示画面７３０ｃを表示するようにしてもよい。例えば表示画面７３０ａにおいて閲覧者が２点同時タッチ操作（２本の指を画面に接触させる操作）を行うと、制御部７０が表示画面７３０ａを図２５（ｂ）に示す表示画面７３０ｂに変化させる。２点同時タッチ操作ではなく２点フリック操作（２本の指を画面に接触させたまま、それらの指を画面のいずれかの方向に動かす操作）を採用してもよい。
【０１４０】
図２５（ａ）に示す表示画面７３０ａにおいて、閲覧者が画像データＡ１をタッチすると、制御部７０は表示画面７３０ａを図２５（ｄ）に示す表示画面７３０ｄに変化させる。すなわち、画像データＢ１、Ｃ１、Ｄ１、Ｅ１を表示している各区画が画面下方向に縮小されると共に、画像データＡ１を表示している区画の下方に新たに３つの区画が設けられる。それら３つの区画には、閲覧者がタッチした画像データＡ１の関連画像である画像データＡ２、Ａ３、Ａ４が表示される。
このように、閲覧者がタッチ操作を行う度に、関連画像データの表示数が増えていく。
【０１４１】
図２５（ｄ）に示す表示画面７３０ｄにおいて、閲覧者が画像データＡ１を数回タッチした後の表示画面７３０ｅを図２５（ｅ）に示す。図２５（ｅ）では、図２５（ｄ）に存在した各区画は図２５（ｄ）よりも小さく縮小されると共に、新たに１１個の区画が設けられている。これら１１個の区画には、閲覧者が繰り返しタッチした画像データＡ１の関連画像データである画像データＡ５、Ａ６、Ａ７、Ａ８、Ａ９、Ａ１０、Ａ１１、Ａ１２、Ａ１３、Ａ１４、Ａ１５が表示される。
【０１４２】
以上のように、閲覧者が画像データＡ１をタッチする度に、制御部７０は表示画面に画像データＡ１の関連画像データを表示する新たな区画を追加する。制御部７０は、いずれかの区画（もしくは所定数以上の区画）のサイズが、予め定められた最小サイズに達している場合、閲覧者によってそれ以上のタッチ操作が行われても区画を増やさない。代わりに、制御部７０は、既存の区画に表示されている画像データを、他の画像データに置き換える。
【０１４３】
例えば、図２５（ｅ）に示す表示画面７３０ｅにおいて、いずれかの区画のサイズが所定の最小サイズに達しているものとする。このとき、閲覧者が画像データＡ１をタッチすると、制御部７０は、表示画面７３０ｅを、図２５（ｆ）に示す表示画面７３０ｆに変化させる。ここでは、横一列に配置された４つの区画に表示されていた画像データＡ４〜Ａ７が、画像データＡ１の関連画像データである画像データＡ１６、Ａ１７、Ａ１８、Ａ１９に変化している。
【０１４４】
例えば、図２５（ｅ）に示す表示画面７３０ｅにおいて、いずれかの区画のサイズが所定の最小サイズに達しているものとする。このとき、閲覧者が画像データＢ１をタッチすると、制御部７０は、表示画面７３０ｅを、図２５（ｇ）に示す表示画面７３０ｇに変化させる。ここでは、横一列に配置された４つの区画に表示されていた画像データＡ４〜Ａ７が、画像データＢ１の関連画像データである画像データＢ２、Ｂ３、Ｂ４、Ｂ５に変化している。
【０１４５】
なお、図２５（ｆ）および図２５（ｇ）に例示したパターンとは異なるパターンで、表示画像を変化させてもよい。例えば、画像データＡ４〜Ａ７を他の画像データに変更するのではなく、画像データＡ８〜Ａ１１を他の画像データに変更してもよい。また、横一列に配置された４つの区画以外の区画の表示内容を変更してもよい。
【０１４６】
また、いずれかの区画のサイズが最小サイズに達しているときに閲覧者が画像データＢ１をタッチした場合、制御部７０が、画像データＡ１の関連画像データが表示されている区画をすべて表示画面から取り除くと共に、画像データＢ１の関連画像データを表示するための区画を表示画面に追加するようにしてもよい。もしくは、いずれかの区画のサイズが最小サイズに達している場合、閲覧者がいずれかの区画をタッチしても、区画の数、大きさ、表示される画像データなどが変化しないようにしてもよい。その場合、制御部７０が、これ以上区画を追加できない旨のメッセージを表示してもよい。
【０１４７】
なお、図２５（ｂ）〜図２５（ｇ）に例示した各表示画面において、制御部７０は画像データＢ１、Ｃ１、Ｄ１、Ｅ１を常に表示していたが、新たな区画を追加したり表示される画像データを変更したりする際、画像データＢ１、Ｃ１、Ｄ１、Ｅ１のうちのいずれか１つ以上の画像データを表示画面に表示されないようにしてもよい。表示されなくなる画像データは、例えば閲覧者の画像データに対する興味度合い（より高い画像データほどより表示され続ける）、電子アルバムデータ３２に含まれる関連画像データの総数（より多い画像データほどより表示され続ける）などにより決定することが望ましい。
【０１４８】
なお、図２５（ｂ）に示す表示画面７３０ｂにおいて、閲覧者が画像データＡ１を第１の時間だけ長押しした場合に、制御部７０が図２５（ｃ）に示す表示画面７３０ｃではなく、図２５（ｄ）に示す表示画面７３０ｄに表示画面を変化させてもよい。
【０１４９】
次に、図２５（ｄ）において、閲覧者が画像データＢ１をタッチした場合について説明する。このタッチ操作に応じて制御部７０は、表示画面７３０ｄを、図２６（ａ）に示す表示画面７３０ｈに変化させる。すなわち制御部７０は、画像データＡ１およびその関連画像データＡ２、Ａ３、Ａ４を表示する区画のサイズを小さくすると共に、タッチされた画像データＢ１の関連画像データＢ２、Ｂ３、Ｂ４をそれぞれ表示する３つの区画を表示画面に追加する。画像データＡ１およびその関連画像データＡ２、Ａ３、Ａ４は既に閲覧済みであるため、制御部７０はこれらの画像データを他の区画よりも小さい区画内に表示する。
【０１５０】
なお、図２５（ｄ）において、閲覧者が画像データＢ１をタッチした場合、制御部７０は、表示画面７３０ｄを図２６（ｂ）に示す表示画面７３０ｉに変化させてもよい。すなわち制御部７０は、画像データＡ１〜Ａ４を表示したまま、タッチされた画像データＢ１の関連画像データＢ２、Ｂ３を表示する２つの区画を表示画面に追加する。
【０１５１】
なお、図２５（ｄ）において、閲覧者が画像データＢ１をタッチした場合、制御部７０は、表示画面７３０ｄを図２６（ｃ）に示す表示画面７３０ｊに変化させてもよい。すなわち制御部７０は、画像データＡ２〜Ａ４を表示する区画を表示画面から取り除く。換言すると、制御部７０は、カテゴリＡに属する画像データＡ１〜Ａ４のうち、画像データＡ１を表示する区画のみを残し、それ以外の画像データを表示する区画を表示画面から取り除く。制御部７０は、タッチされた画像データＢ１の関連画像データＢ２、Ｂ３、Ｂ４を表示する３つの区画を表示画面に追加する。ここで残す区画は、カテゴリＡに属する画像データＡ１〜Ａ４のうち、画像データＡ１以外の画像データを表示する区画であってもよい。例えば、画像データＡ２を表示する区画を表示画面に残し、画像データＡ１、Ａ３、Ａ４を表示する区画を表示画面から取り除いてもよい。
【０１５２】
なお、図２５（ｄ）において、閲覧者が画像データＢ１をタッチした場合、制御部７０は、表示画面７３０ｄを図２６（ｄ）に示す表示画面７３０ｋに変化させてもよい。すなわち制御部７０は、画像データＡ１〜Ａ４を表示する区画を表示画面から取り除くと共に、タッチされた画像データＢ１の関連画像データＢ２、Ｂ３、Ｂ４、Ｂ５を表示する区画を表示画面に追加する。
【０１５３】
なお、図２５（ｄ）において、閲覧者が画像データＢ１をタッチした場合、制御部７０は、表示画面７３０ｄを図２６（ｅ）に示す表示画面７３０ｌに変化させてもよい。すなわち制御部７０は、画像データＡ２〜Ａ４を表示する区画を表示画面から取り除く。換言すると、制御部７０は、カテゴリＡに属する画像データＡ１〜Ａ４のうち、画像データＡ１を表示する区画のみを残し、それ以外の画像データを表示する区画を表示画面から取り除く。制御部７０は、タッチされた画像データＢ１の関連画像データＢ２、Ｂ３、Ｂ４と、新たな画像データＦ１とを表示する４つの区画を表示画面に追加する。新たな画像データＦ１は、これまで表示されていた画像データＡ１、Ｂ１、Ｃ１、Ｄ１、Ｅ１などとは異なるカテゴリの画像である。ここで表示画面に残す区画は、画像データＡ１〜Ａ４のうち、画像データＡ１以外の画像データを表示する区画であってもよい。例えば、画像データＡ２を表示する区画を表示画面に残し、画像データＡ１、Ａ３、Ａ４を表示する区画を表示画面から取り除いてもよい。
【０１５４】
なお、図２５（ｄ）において、閲覧者が画像データＢ１をタッチした場合、制御部７０は、表示画面７３０ｄを図２６（ｆ）に示す表示画面７３０ｍに変化させてもよい。すなわち制御部７０は、画像データＡ１〜Ａ４を表示する区画を表示画面から取り除くと共に、タッチされた画像データＢ１の関連画像データＢ２、Ｂ３、Ｂ４と、新たな画像データＦ１とを表示する４つの区画を表示画面に追加する。新たな画像データＦ１は、これまで表示されていた画像データＡ１、Ｂ１、Ｃ１、Ｄ１、Ｅ１などとは異なるカテゴリの画像データである。
【０１５５】
図２５（ｂ）、（ｃ）に例示した領域７３１に対する操作について説明する。領域７３１内に配置された各区画に表示される画像データを、例えば上下方向へのフリック操作などにより閲覧者が任意に変更可能にしてもよい。例えば、図２５（ｂ）に示す表示画面７３０ｂにおいて、閲覧者が領域７３１に対して画面下方向へのフリック操作を行うと、制御部７０は、表示画面７３０ｂを、図２７（ａ）に示す表示画面７３０ｎに変更する。すなわち制御部７０は、領域７３１内に表示されている画像データＡ２〜Ａ５（いずれも画像データＡ１の関連画像データ）を、他の関連画像データＡ６〜Ａ９に変更する。
【０１５６】
更に、領域７３１を用いて、画像データＡ１が表示されている区画に、他の画像データを表示することができるようにしてもよい。例えば、図２５（ａ）に示す表示画面７３０ａにおいて、閲覧者が画像データＡ１を２つの指でタッチすると、制御部７０は、表示画面７３０ａを図２７（ｂ）に示す表示画面７３０ｏに変化させる。表示画面７３０ｏは、図２５（ｂ）に示す表示画面７３０ｂに似ているが、領域７３１内の特定の１つの区画７３２が、他の区画とは異なる態様で表示される点が異なっている。例えば区画７３２は、特別な枠で囲まれていたり、他の区画とは異なる色彩を有していたりする。
【０１５７】
閲覧者が画像データＡ１を１つの指でタッチした状態のまま、もう１つの指で領域７３１に対して上下方向へのフリック操作を行うと、制御部７０は、領域７３１内の各区画に表示される画像データをスクロールさせる。例えば図２７（ｂ）に示す表示画面７３０ｏにおいて、閲覧者が領域７３１に対して上方向へのフリック操作を行うと、制御部７０は、表示画面７３０ｏを図２７（ｃ）に示す表示画面７３０ｐに変化させる。表示画面７３０ｐにおいて、領域７３１内の各区画には、表示画面７３０ｏとは１つずれて画像データが表示されている。例えば図２７（ｂ）に示す表示画面７３０ｏでは、区画７３２に画像データＡ２が表示されており、その１つ下の区画には画像データＡ３が表示されていた。図２７（ｃ）に示す表示画面７３０ｐでは、区画７３２には画像データＡ３が表示され、その１つ下の区画には画像データＡ４が表示される。
【０１５８】
閲覧者が、特別な区画７３２に画像データＡ３が表示されているときに、画像データＡ１をタッチしている指を画面から離すと、制御部７０は、画像データＡ１と画像データＡ３とを入れ替える。入れ替えが為された後の表示画面７３０ｑを図２７（ｄ）に示す。
以上のように、区画内に表示されている画像データを、他の関連画像データに入れ替えることができるようにすることで、閲覧者が表示画面を任意にカスタマイズすることができるようになる。
更に、閲覧者が特定の状態の表示画面をデフォルトの表示画面に指定できるようにしてもよい。例えば区画の配置や個数、それらの区画に表示される画像データ等を閲覧者がカスタマイズした後に、閲覧者が所定の操作（例えば不図示のボタンの押下操作）を行うと、制御部７０は区画の配置や個数、それらの区画に表示される画像データ等の情報を記憶する。制御部７０は、次回以降の電子アルバムデータ３２の再生開始時に、その記憶した情報に基づき、表示画面における区画の配置や個数、それらの区画に表示される画像データ等を復元する。
【０１５９】
以上で説明した各実施の形態や変形例において、新たな関連画像データを表示するに際し、関連画像データがこれ以上存在しない場合に、その旨を示すメッセージを表示するようにしてもよい。また、関連画像データがまだ残っている場合に、その旨を示すアイコン等を画面に表示してもよい。関連画像データが残っていることを、アイコン等とは異なる態様で示唆してもよい。例えば、カテゴリＡに属する関連画像データＡ２、Ａ３、Ａ４が表示されており、まだカテゴリＡに属する未表示の関連画像データＡ５、Ａ６、Ａ７等が残っている場合に、関連画像データＡ４を表示している区画内に、一定時間ごとに関連画像データＡ５、Ａ６、Ａ７等を順次表示することで、それらの関連画像データが残っていることを示唆してもよい。
【０１６０】
複数の区画に表示されている画像データ同士が関連画像データ同士であることを閲覧者に対して示唆してもよい。例えば、区画の枠の色を、その区画内に表示している画像データのカテゴリごとに共通にしたり、区画内の所定位置（右上隅など）に、その区画内に表示している画像データのカテゴリに対応するアイコンを重畳表示したりしてもよい。
【０１６１】
以上の説明において言及した「画像データ」は、例えばカメラ等による撮像画像（静止画、動画）だけではなく、表示可能な任意のデータを含む。例えばテキストデータや整形済みの文書データ、プレゼンテーションに用いるスライドデータ等のデータを、上述した画像データとして扱うことが可能である。
【０１６２】
スライドデータの例について説明する。例えば制御部７０は、４つのスライドデータのタイトルページ（または目次ページ）を４つの区画に表示する。閲覧者がいずれか１つの区画をタッチすると、制御部７０は、その区画に対応するスライドデータ内の各ページを各区画に表示する。つまり、１つのスライドデータ内の各ページを、同一のカテゴリに属する関連画像データとして扱うことができる。このようにすることで、多数のスライドデータの内容を一挙に確認することができる。
また、区画をタッチする強さや長さに応じて、その区画に対応するスライドデータ内の各ページを各区画に表示する際のページ数が変化するようにしてもよい。例えば、より強く、より長くタッチするほど、より多くのページが追加で表示されるようにしてもよい。
【０１６３】
テキストデータの例について説明する。例えば制御部７０は、４つのテキストデータからそれぞれ抽出された４つの文章を、４つの区画に表示する。閲覧者がいずれか１つの区画をタッチすると、制御部７０は、その区画に対応するテキストデータ内の各文章を各区画に表示する。
【０１６４】
また、テキストデータと画像データとを組み合わせて表示してもよい。例えば結婚式で撮影した写真（画像データ）と撮影者のメッセージ（テキストデータ）とが電子アルバムデータ３２内に互いに関連付けて記憶されている場合、制御部７０は、ある区画に画像データを表示する際、他の区画に、その画像データに対応するテキストデータを画像データに連動して表示する。また、ある区画に日付を表示し、他の区画にはその日付に撮った写真（画像データ）を表示するようにしてもよい。この場合、閲覧者は日付が表示された区画をタッチして日付を変更することができる。閲覧者が日付を変更すると、制御部７０は、他の区画に表示される画像データをその日付に撮影された画像データに変更する。
【０１６５】
動画像データを再生する例を説明する。図２８（ａ）に示す表示画面７３０ｒには、動画像データＡ１と、静止画像データＣ１、Ｄ１、Ｅ１とが表示されている。初期状態において、動画像データＡ１は停止中である。閲覧者が動画像データＡ１をタッチすると（動画像データＡ１が表示されている区画をタッチすると）、制御部７０は動画像データＡ１の再生を開始する。すなわち、動画像データＡ１は再生中状態になる。
【０１６６】
動画像データＡ１の再生中に、閲覧者が動画像データＡ１をタッチすると、制御部７０はタッチされた時点における動画像データＡ１の再生中フレームＢ１を、動画像データＡ１が表示されている区画とは別の区画に表示する。例えば制御部７０は、図２８（ｂ）に示す表示画面７３０ｓのように、新たな区画を表示画面に追加すると共に、その新たな区画に動画像データＡ１の再生中フレームＢ１を表示する。
【０１６７】
動画像データＡ１の再生が完了すると、制御部７０は、引き続き、動画像データＡ１の関連画像データである動画像データＡ２、Ａ３等の再生を同じ区画内で開始する。例えば図２（ｃ）に示す表示画面７３０ｔのように、それらの動画像データの再生中も、前述の再生中フレームＢ１は表示画面に表示されたままである。動画像データＡ３の再生中に閲覧者が動画像データＡ３をタッチすると、制御部７０は、先ほどと同様に、タッチされた時点における動画像データＡ３の再生中フレームＢ３を、動画像データＡ３が表示されている区画とは別の区画に表示する。例えば制御部７０は、図２８（ｄ）に示す表示画面７３０ｕのように、新たな区画を表示画面に追加すると共に、その新たな区画に動画像データＡ３の再生中フレームＢ３を表示する。
【０１６８】
動画と静止画を同時に撮影するカメラが知られている。例えば動画撮影中に所定操作を行ったり特定の被写体が検出されたりすると、動画の撮影を継続したまま、静止画を撮影するカメラが知られている。そのようなカメラで撮影した動画と静止画のペアを、通常の動画や静止画とは異なる態様で表示してもよい。
【０１６９】
（第６の実施の形態）
以下、第６の実施の形態について説明する。なお、上述した第１の実施の形態と同一の箇所については同一の符号を付し、説明を省略する。
【０１７０】
図１６は、記憶装置３０に記憶されているデータの模式図である。記憶装置３０は、複数の画像データ３１および複数の電子アルバムデータ３２を記憶している。画像データ３１は、カメラ５によって作成された、例えばＪＰＥＧ形式の画像ファイルである。本実施の形態において、画像データ３１は、静止画を記録した画像ファイルである。
【０１７１】
電子アルバムデータ３２は、電子アルバムを表現するデータである。電子アルバムデータ３２は、複数の画像データ３１が関連付けられたデータである。ユーザは、例えば情報端末４を操作することにより、電子アルバムデータ３２の作成および編集を行うことができる。ユーザは、複数の画像データ３１を適宜選択し、選択した画像データ３１が関連付けられた電子アルバムデータ３２を作成する。以下の説明では、電子アルバムデータ３２に関連付けられた画像データ３１を、その電子アルバムデータ３２に含まれる画像データ３１と呼ぶ。
【０１７２】
図１７は、携帯機器７の構成を模式的に示すブロック図である。フラッシュメモリ７２には、上述した制御プログラム等に加えて、スケジュールデータ７２０が記憶されている。スケジュールデータ７２０は、携帯機器７を利用するユーザのスケジュールに関するデータである。携帯機器７のユーザは、いわゆるスケジューラプログラムを用いて、スケジュールデータ７２０の表示や編集を行うことができる。
【０１７３】
図１８は、スケジュールデータ７２０の構造を示す模式図である。スケジュールデータ７２０は、日付７２０１、時間帯７２０２、および予定内容７２０３の組を複数有し、その他にも場所や移動手段の情報なども記録していてもよい。個々の組は、ユーザの予定１つを示している。例えば、図１８に例示する予定７２０ａは、１０月１５日の１０時から１１時までの期間、ユーザに「ミーティングＡ」という予定が存在することを示している。携帯機器７は、例えばスケジュールデータ７２０に基づきカレンダーと共にユーザの予定を表示する、いわゆるスケジュールプログラムを実行することができる。ユーザは、このようなプログラムを操作して、スケジュールデータ７２０を編集することができる。このようなプログラムは周知であり説明を省略する。
【０１７４】
携帯機器７は、記憶装置３０に記憶されている電子アルバムデータ３２に基づき、電子アルバムを再生することができる。携帯機器７のユーザは、携帯機器７に対して、記憶装置３０に記憶されている電子アルバムデータ３２から再生したい電子アルバムデータ３２を特定する指示を入力する。携帯機器７は、特定された電子アルバムデータ３２をサーバ３から受信して電子アルバムの再生処理を実行する。以下、電子アルバムの再生処理を説明する。
【０１７５】
図１９（ａ）は、電子アルバム再生時の表示画面７３ａを例示する図であり、図１９（ｂ）は、図１９（ａ）の表示画面７３ａとは異なる表示画面７３ｂを例示する図である。図１９（ａ）の表示画面７３ａは、タイル状に、第１区画１００ａ、第２区画１００ｂ、第３区画１００ｃ、および第４区画１００ｄに区切られている。以下の説明では、第１区画１００ａ、第２区画１００ｂ、第３区画１００ｃ、および第４区画１００ｄ等の区画を区画１００と総称する。各々の区画１００は、長方形の形状を有しており、そのサイズおよび位置は様々である。なお、区画１００の形状は長方形に限らず、正方形やひし形などの形状でもよい。
【０１７６】
図１９（ｂ）の表示画面７３ｂは、図１９（ａ）に例示した表示画面７３ａに、更に、第５区画１００ｅおよび第６区画１００ｆを追加した構成を有している。制御部７０は、第１区画１００ａ以外の既存の区画１００である第２区画１００ｂ、第３区画１００ｃ、および第４区画１００ｄを縮小して、第５区画１００ｅおよび第６区画１００ｆの表示領域を確保する。つまり制御部７０は、図１９（ａ）に例示した表示画面７３ａと図１９（ｂ）に例示した表示画面７３ｂとで、複数の区画１００の個数、形状、位置、およびサイズを異ならせている。
【０１７７】
制御部７０は、電子アルバムの再生処理において、図１９（ａ）に例示した表示画面７３ａと、図１９（ｂ）に例示した表示画面７３ｂとを、スケジュールデータ７２０に基づき使い分ける。以下、スケジュールデータ７２０に基づく表示画面の選択方法について説明する。
【０１７８】
表示装置は、閲覧者を確認するための撮像装置による顔認証や指紋認証、音声認証などのセンサを備えている。表示装置は、それらのセンサ等により、閲覧者が誰であるのかを特定することが可能である。
制御部７０は、電子アルバムの再生に際し、スケジュールデータ７２０を読み出し、閲覧者の本日のスケジュールを調べる。ここで、閲覧者のスケジュールを読み出す方法としては、例えばクラウドに保存されている閲覧者のスケジュールデータを無線通信により取得する方法がある。他にも、表示装置と連携したデバイス（例えばスケジュール管理のソフトを備えたスマートフォン等の携帯機器）に閲覧者のスケジュールが保存されており、表示装置の制御部が閲覧者を上記方法で特定したら、連携したデバイスから閲覧者のスケジュールを読み出してもよい。制御部７０は、スケジュールデータ７２０から、日付７２０１（図１８）が本日の日付と一致するスケジュールを抽出する。制御部７０は、０時から２４時までの時間帯のうち、抽出したスケジュールの時間帯７２０２に含まれていない時間帯、すなわち予定が組まれていない時間帯（空き時間帯）を算出する。制御部７０は、空き時間帯の長さが一定時間未満である場合には、図１９（ｂ）に例示した表示画面７３ｂを用いて電子アルバムを再生する。他方、制御部７０は、空き時間帯の長さが一定時間以上である場合には、図１９（ａ）に例示した表示画面７３ａを用いて電子アルバムを再生する。つまり制御部７０は、スケジュールが所定程度以上に過密である場合には、スケジュールが所定程度以上に過密でない場合よりも複数の区画１００の個数を増やす。
【０１７９】
制御部７０は、図１９（ａ）の表示画面７３ａを用いて電子アルバムを再生する場合、再生対象の電子アルバムデータ３２に含まれる画像データ３１から、４つの画像データ３１ａ，３１ｂ，３１ｃ，３１ｄを選択し、第１区画１００ａ、第２区画１００ｂ、第３区画１００ｃ、および第４区画１００ｄにそれぞれ表示する。なお、画像データ３１ａ〜３１ｄのサイズや縦横比は、表示対象の区画１００のサイズや縦横比と必ずしも一致しない。制御部７０は、画像データ３１ａ〜３１ｄを区画１００に収まるように適宜加工して表示する。例えば、画像データ３１ａを第１区画１００ａに表示するに際し、画像データ３１ａを拡大または縮小したり、画像データ３１ａの一部を切り出したり、画像データ３１ａの周囲に余白を設けて縦横比を調節したりする。
【０１８０】
閲覧者は、例えばタッチパネル７４に対するタッチ操作や不図示の操作部材への操作により、ページ送りやページ戻し等のページ移動操作を行うことが可能である。閲覧者がページ移動操作を行うと、制御部７０は、複数の区画１００の表示態様をそのままに、各区画１００ａ〜１００ｄに表示する画像データ３１ａ〜３１ｄを他の画像データ３１に切り替えてもよい。
また、表示画面のページ切替は閲覧者のページ移動操作による方法の他に、例えば表示装置が閲覧者を識別するセンサ（例えば顔認証を行う撮像装置）を備えており、閲覧者を特定してから一定時間（例えば５秒）後に自動でページを切り替えてよい。または、閲覧者の音声指示や、表示されている複数の画像から閲覧者が１つを選択する操作によりページを切り替えてもよい。
【０１８１】
なお、ページ移動操作によって、電子アルバムに含まれる全ての画像データ３１を必ずしも鑑賞可能にしなくてもよい。また、所定の優先順位に基づき、ページ移動操作によって新たに表示される画像データ３１を決定してもよい。例えば被写体抽出、縦横構図などによる、既存の画像判定技術によって、電子アルバムに含まれる多数の画像データ３１について優先順位を決めることができる。
【０１８２】
制御部７０は、図１９（ｂ）の表示画面７３ｂを用いて電子アルバムを再生する場合、再生対象の電子アルバムデータ３２に含まれる画像データ３１から、６つの画像データ３１ａ，３１ｂ，３１ｃ，３１ｄ，３１ｅ，３１ｆを選択し、第１区画１００ａ、第２区画１００ｂ、第３区画１００ｃ、第４区画１００ｄ、第５区画１００ｅ、および第６区画１００ｆにそれぞれ表示する。図１９（ａ）に例示した表示画面７３ａと比べて、１つのページにより多くの画像データ３１を表示することができるので、空き時間帯の少ない、忙しい閲覧者にとって、よりスピーディーで好ましい再生処理を提供することができる。
【０１８３】
なお、以上の説明では、図１９（ａ）の表示画面７３ａと、図１９（ｂ）の表示画面７３ｂとを例示したが、より多くの表示画面を空き時間帯の長さに応じて切り替えてもよい。例えば、互いに区画１００の個数が異なる１０種類の表示画面を用意し、空き時間帯の長さを１０段階に分けて１０種類の表示画面を切り替えるようにしてもよい。
【０１８４】
図２０は、再生処理のフローチャートである。ステップＳ１０で、制御部７０に、再生対象となる電子アルバムデータ３２を特定する指示が入力される。閲覧者は、電子アルバムデータ３２を特定するために、例えば電子アルバムの名称やＵＲＬ等を、タッチパネル７４等の入力装置により入力する。ステップＳ２０で、制御部７０は、再生対象の電子アルバムデータ３２をサーバ３から受信する。
【０１８５】
ステップＳ３０で、制御部７０は、スケジュールデータ７２０を読み出して、閲覧者の本日のスケジュールを集計し、本日の閲覧者の空き時間帯を算出する。ステップＳ４０で、制御部７０は、空き時間帯の長さが一定時間以上か否かを判定する。空き時間帯が一定時間以上の長さである場合、制御部７０は処理をステップＳ５０に進める。ステップＳ５０で、制御部７０は、図１９（ａ）に例示した、より区画１００の個数がより少ない表示画面７３ａを選択し、処理をステップＳ７０に進める。他方、ステップＳ４０において空き時間帯が一定時間未満の長さである場合、制御部７０は処理をステップＳ６０に進める。ステップＳ６０で、制御部７０は、図１９（ｂ）に例示した、より区画１００の個数がより多い表示画面７３ｂを選択し、処理をステップＳ７０に進める。
【０１８６】
ステップＳ７０で、制御部７０は、電子アルバムデータ３２に含まれる画像データ３１から、表示画面に表示する４つまたは６つの画像データ３１を選択する。ステップＳ８０で、制御部７０は、ステップＳ７０で選択した４つまたは６つの画像データ３１を、図１９（ａ）に例示した４つの区画１００ａ〜１００ｄ、または図１９（ｂ）に例示した６つの区画１００ａ〜１００ｆにそれぞれ表示する。
【０１８７】
ステップＳ９０で、制御部７０は、所定のページ移動操作が入力されたか否かを判定する。ページ移動操作が入力されていなかった場合、制御部７０は処理をステップＳ１２０に進める。他方、ページ移動操作が入力されていた場合、制御部７０は処理をステップＳ１００に進める。
【０１８８】
ステップＳ１００で、制御部７０は、現在選択されている画像データ３１とは異なる画像データ３１を選択する。ステップＳ１１０で、制御部７０は、選択したそれらの画像データ３１が区画１００に表示されるよう、画面表示を更新する。ステップＳ１２０で、制御部７０は、所定の再生終了操作が為されたか否かを判定する。再生終了操作が為されていない場合、制御部７０は、処理をステップＳ９０に進める。再生終了操作が為されていた場合、制御部７０は、電子アルバムの再生処理を終了する。
【０１８９】
上述した実施の形態によれば、次の作用効果が得られる。
（１）制御部７０は、表示画面に設けられた、鑑賞するユーザの属性に関するユーザ情報の一種であるスケジュールデータ７２０に基づく表示態様を有する複数の区画１００に、選択された複数の画像データ３１をそれぞれ表示する。このようにしたので、煩雑な操作なしで最適な画面が表示される、使い勝手のよい表示装置を提供することができる。
【０１９０】
（２）制御部７０は、ユーザ情報に基づき複数の区画１００の個数、形状、位置、およびサイズを決定する。このようにしたので、ユーザに応じた最適な表示態様で電子アルバムを再生することができる。
【０１９１】
（３）ユーザ情報とは、ユーザの少なくとも鑑賞当日のスケジュールに関するスケジュールデータ７２０である。このようにしたので、ユーザのスケジュールに合わせた最適な表示態様で電子アルバムを再生することができる。
【０１９２】
（４）制御部７０は、スケジュールが所定程度以上に過密である場合には、スケジュールが所定程度以上に過密でない場合よりも複数の区画１００の個数を増やす。このようにしたので、忙しいユーザに対してより一覧性の高い表示画面７３ｂを提供すると共に、比較的時間に余裕のあるユーザに対しては個々の画像をより大きく表示できる表示画面７３ａを提供することができる。
【０１９３】
なお、以上の説明では、空き時間の少ない、忙しい閲覧者に対して、スピーディーにより多くの画像を鑑賞してもらうことを目的として、表示画面７３の１つの表示画面により多くの画像データ３１を表示する方法を例示したが、閲覧者の中には表示画面７３に表示される画像データ３１の表示サイズが所定の大きさ以上であることを望む人もいる。そのような場合には、表示画面７３に表示する画像データ３１の表示サイズは閲覧者の要望する表示サイズで表示してもよい。
また、忙しい閲覧者に対して、表示画面７３により多くの画像データ３１を表示する方法の他に、画像データをあるガテゴリ毎に関連付け（例えば旅行、運動会、風景など）、複数のカテゴリ毎の代表となる画像データを表示画面に表示してもよい。このように表示することで、忙しい閲覧者が見たい画像により簡単にたどりつけることが可能となる。
なお、以上の説明では、閲覧者のスケジュールに基づいて表示画面７３に表示する画像の区画や画像データ３１を再生するとしているが、その他にも、閲覧者が画像をじっくりと鑑賞している、すなわち時間に余裕があると判断することも可能である。逆に、閲覧者が画像を鑑賞している時間が短いと、閲覧者は時間がなく急いでいると判断することが可能である。この閲覧者が画像をどれくらいの時間鑑賞しているのかということは、閲覧者の視線検出から確認することができる。
【０１９４】
（第７の実施の形態）
第７の実施の形態に係る画像再生システムは、第６の実施の形態で説明したスケジュールデータ７２０とは異なるユーザ情報（ユーザの嗜好に関する情報）に基づき、区画１００の表示態様を決定する。以下、第７の実施の形態に係る画像再生システムと、第６の実施の形態に係る画像再生システムとの相違点について、図２１〜２２を参照して説明する。なお、第６の実施の形態と同一の箇所については、第６の実施の形態と同一の符号を付して説明を省略する。
【０１９５】
図２は、記憶装置３０に記憶されているデータの模式図である。第７の実施の形態の画像データ３１には、第１の実施の形態等と同様に、画像の内容によって分類される１つ以上のカテゴリデータ３３が関連付けられている。
【０１９６】
図２１は、携帯機器７の構成を模式的に示すブロック図である。第７の実施の形態に係る携帯機器７のフラッシュメモリ７２には、嗜好データ７２１が記憶されている。嗜好データ７２１は、携帯機器７を利用するユーザ（閲覧者）の嗜好に関するデータである。第７の実施の形態では、嗜好データ７２１は、閲覧者の画面レイアウトに対する嗜好と、画像データ３１のカテゴリに対する嗜好とを示している。画面レイアウトに対する嗜好とは、例えば「区画１００の個数は４つを最も好む」や「区画１００のサイズを１００画素×８０画素以下にすることは好まない」等の形で示される。画像データ３１のカテゴリに対する嗜好とは、例えば「自動車のカテゴリに属する画像データ３１を最も好む」や「夜のカテゴリに属する画像データは好まない」等の形で示される。
【０１９７】
なお、嗜好データ７２１は、閲覧者が自身の嗜好を直接入力して作成されてもよいし、それ以外の方法で作成されてもよい。例えば、何らかの画面レイアウトで表示された表示画面に対し、閲覧者がその画面レイアウトの好き嫌いを入力すると、入力した内容が嗜好データ７２１に反映されるようにしてもよい。また、電子アルバムの再生とは全く異なる別のプログラム等で入力した画面レイアウトやカテゴリの好き嫌いが嗜好データ７２１に反映されるようにしてもよい。
【０１９８】
制御部７０は、電子アルバムの再生時、画面に表示される複数の区画１００の表示態様や、表示される画像データ３１を、嗜好データ７２１により示される閲覧者の嗜好に基づき決定する。以下、この点について詳述する。
【０１９９】
図２２（ａ）は、電子アルバム再生時の表示画面７３ｃを例示する図である。表示画面７３ｃは、タイル状に、第１区画１００ａ、第２区画１００ｂ、第３区画１００ｃ、第４区画１００ｄ、第５区画１００ｅ、および第６区画１００ｆに区切られている。嗜好データ７２１に閲覧者の嗜好が特に示されていない場合、制御部７０は、第１区画１００ａ〜第６区画１００ｆに、それぞれ、画像データＡ１、Ｂ１、Ｃ１、Ｄ１、Ｅ１、Ｆ１を表示する。なお、以下では説明を省略するが、ページ移動操作は第１の実施の形態と同様に行うことができる。
【０２００】
画像データＡ１〜Ｆ１は、それぞれ、互いに異なるカテゴリＡ，Ｂ，Ｃ，Ｄ，Ｅ，Ｆに属している。つまり制御部７０は、１つの表示画面７３ｃに、互いに異なるカテゴリＡ〜Ｆに属する６種類の画像データＡ１〜Ｆ１を表示する。
【０２０１】
図２２（ｂ）は、カテゴリに関する閲覧者の嗜好を反映した表示画面７３ｄを例示する図である。例えば嗜好データ７２１により、閲覧者がカテゴリＡをより好み、カテゴリＤをより好まないことが示されていたとする。この場合、制御部７０は、カテゴリＡに属する画像データ３１をより多く表示し、カテゴリＤに属する画像データ３１をより少なく表示する。図２２（ａ）と図２２（ｂ）を比較すると、カテゴリＤに属する画像データＤ１が表示されなくなっている。また、カテゴリＡに属する画像データＡ１に加えて、更に、カテゴリＡに属する画像データＡ２，Ａ３が表示されている。なお、図２２（ｂ）では、カテゴリＣに属する画像データＣ１も表示されなくなっている。これは、カテゴリＡに属する画像データＡ２，Ａ３を優先的に表示するための処置である。
【０２０２】
図２２（ｃ）は、画面レイアウトに関する閲覧者の嗜好を反映した表示画面７３ｅを例示する図である。例えば嗜好データ７２１により、閲覧者が区画１００を４つ表示した画面を好むことが示されていたとする。この場合、制御部７０は、画面に表示される区画１００の数を４つにする。図２２（ａ）と図２２（ｃ）とを比較すると、第５区画１００ｅおよび第６区画１００ｆが画面から取り除かれ、結果として、画面には第１区画１００ａ〜第４区画１００ｄの計４つの区画１００が表示されるようになっている。
【０２０３】
上述した実施の形態によれば、次の作用効果が得られる。
（５）制御部７０は、表示画面に設けられた、鑑賞するユーザの属性に関するユーザ情報である嗜好データ７２１に基づく表示態様を有する複数の区画１００に、選択された複数の画像データ３１をそれぞれ表示する。このようにしたので、煩雑な操作なしで最適な画面が表示される、使い勝手のよい表示装置を提供することができる。
【０２０４】
（６）制御部７０は、ユーザ情報に基づき複数の区画１００の個数、形状、位置、およびサイズを決定する。このようにしたので、ユーザに応じた最適な表示態様で電子アルバムを再生することができる。
【０２０５】
（７）ユーザ情報とは、区画１００の表示態様に対するユーザの嗜好を含む嗜好データ７２１である。このようにしたので、ユーザの嗜好に合わせた最適な表示態様で電子アルバムを再生することができる。
【０２０６】
（第８の実施の形態）
第８の実施の形態に係る画像再生システムは、第６の実施の形態で説明したスケジュールデータ７２０とは異なるユーザ情報（ユーザの視力に関する情報）と、液晶ディスプレイ７３の表示性能とに基づき、区画１００の表示態様を決定する。以下、第８の実施の形態に係る画像再生システムと、第６の実施の形態に係る画像再生システムとの相違点について、図２３を参照して説明する。なお、第６の実施の形態と同一の箇所については、第６の実施の形態と同一の符号を付して説明を省略する。
【０２０７】
図２３は、携帯機器７の構成を模式的に示すブロック図である。第８の実施の形態に係る携帯機器７は、第６の実施の形態に係る携帯機器７と同様の各部に加えて、更に、撮像部７６を有している。撮像部７６は、液晶ディスプレイ７３の表示面が設けられた面に設けられる。撮像部７６は、例えば撮像光学系と撮像素子とを有し、携帯機器７を利用しているユーザ（閲覧者）の顔を少なくとも撮像可能に構成されている。
【０２０８】
第８の実施の形態に係る携帯機器７のフラッシュメモリ７２には、視力データ７２２および表示性能データ７２３が記憶されている。視力データ７２２は、携帯機器７を利用するユーザ（閲覧者）の視力に関するデータである。制御部７０は、撮像部７６により撮像された閲覧者の顔の画像に基づき、閲覧者の視力を推定する。例えば、閲覧者の顔の画像から所定の特徴量を検出して閲覧者の年齢を推定し、年齢毎に予め定められた視力を、閲覧者の視力と推定する。なお、これとは異なる方法で閲覧者の視力を検出してもよい。また、閲覧者が自身の視力を直接入力したデータを視力データ７２２としてもよい。表示性能データ７２３は、液晶ディスプレイ７３の表示性能に関するデータである。液晶ディスプレイ７３の表示性能とは、液晶ディスプレイ７３の画面サイズおよび表示画素数（解像度）である。
【０２０９】
制御部７０は、電子アルバムの再生時、画面に表示される複数の区画１００の表示態様を、視力データ７２２および表示性能データ７２３に基づき決定する。具体的には、閲覧者の視力が高いほど、画面に表示される区画１００の数を多くし、区画１００のサイズを小さくする（例えば図１９（ａ）の表示画面７３ａ）。逆に、閲覧者の視力が低いほど、画面に表示される区画１００の数を少なくし、区画１００のサイズを大きくする（例えば図１９（ｂ）の表示画面７３ｂ）。制御部７０は、液晶ディスプレイ７３のサイズが大きいほど、画面に表示される区画１００の数を多くし、サイズが小さいほど、画面に表示される区画１００の数を少なくする。制御部７０は、液晶ディスプレイ７３の表示画素数が多いほど、画面に表示される区画１００の数を少なくし、表示画素数が少ないほど、画面に表示される区画１００の数を多くする。
【０２１０】
上述した実施の形態によれば、次の作用効果が得られる。
（８）制御部７０は、表示画面に設けられた、鑑賞するユーザの属性に関するユーザ情報である視力データ７２２に基づく表示態様を有する複数の区画１００に、選択された複数の画像データ３１をそれぞれ表示する。このようにしたので、煩雑な操作なしで最適な画面が表示される、使い勝手のよい表示装置を提供することができる。
【０２１１】
（９）制御部７０は、ユーザ情報に基づき複数の区画１００の個数、形状、位置、およびサイズを決定する。このようにしたので、ユーザに応じた最適な表示態様で電子アルバムを再生することができる。
【０２１２】
（１０）ユーザ情報とは、ユーザの視力に関する視力データ７２２である。このようにしたので、ユーザの視力に合わせた最適な表示態様で電子アルバムを再生することができる。
【０２１３】
（１１）制御部７０は、ユーザの視力が所定度数以上である場合には、視力が所定度数以上でない場合よりも複数の区画１００の個数を増やす。このようにしたので、ユーザの視力に合わせた最適な表示態様で電子アルバムを再生することができる。
【０２１４】
（１２）制御部７０は、ユーザの顔の少なくとも一部を撮像部７６により撮像した結果に基づき、視力に関する情報を検出するよう制御する。このようにしたので、ユーザが自分で視力に関する情報を入力する必要がなく、使い勝手のよい画像再生システムを提供することができる。
【０２１５】
（１３）制御部７０は、ユーザ情報に加えて、表示画面のサイズおよび解像度（表示画素数）に基づき、区画１００の表示態様を決定する。このようにしたので、携帯機器７の表示性能をも考慮して画像データ３１を表示する、より使い勝手のよい画像再生システムを提供することができる。
【０２１６】
（第９の実施の形態）
第９の実施の形態に係る画像再生システムは、鑑賞するユーザと画像データ３１との関係に基づき、区画１００の表示態様を決定する。以下、第９の実施の形態に係る画像再生システムと、第６の実施の形態に係る画像再生システムとの相違点について、図２４を参照して説明する。なお、第６の実施の形態と同一の箇所については、第６の実施の形態と同一の符号を付して説明を省略する。
【０２１７】
図２４は、記憶装置３０に記憶されているデータの模式図である。第９の実施の形態の画像データ３１には、関連ユーザデータ３４が関連付けられている。関連ユーザデータ３４は、その画像データ３１に関連する１人以上のユーザを示す情報である。例えば、ユーザＸの旅行において、特定時間帯にユーザＹが同行していた場合、その旅行の特定時間帯に撮影された画像データ３１には、ユーザＸとユーザＹとを示す関連ユーザデータ３４が関連付けられる。
【０２１８】
電子アルバムに含まれる画像データ３１に、閲覧者を示す関連ユーザデータ３４が関連付けられたものが含まれる場合、制御部７０はその画像データ３１（関連画像データ）を優先的に再生する。例えば、その画像データ３１のみを再生し、他の画像データ３１（非関連画像データ）を再生しない。他方、電子アルバムに含まれる画像データ３１に、閲覧者を示す関連ユーザデータ３４が関連付けられたものが含まれていない場合、制御部７０は電子アルバムの作成者以外のユーザを示す関連ユーザデータ３４が関連付けられていない画像データ３１（非関連画像データ）を優先的に再生する。例えば、そのような画像データ３１のみを再生し、電子アルバムの作成者以外のユーザを示す関連ユーザデータ３４が関連付けられた画像データ３１を再生しない。
【０２１９】
上述した実施の形態によれば、次の作用効果が得られる。
（１４）複数の画像データ３１は、ユーザに関連する関連画像データと、ユーザに関連しない非関連画像データ３１とを含み、制御部７０は、ユーザにより鑑賞される際には、関連画像データに基づく表示態様の複数の区画１００を設ける。このようにしたので、煩雑な操作なしで最適な画面が表示される、使い勝手のよい表示装置を提供することができる。
【０２２０】
（１５）制御部７０は、ユーザにより鑑賞される際には、複数の画像データ３１のうちの関連画像データを複数の区画１００に表示し、異なるユーザにより鑑賞される際には、複数の画像データ３１のうちの非関連画像データを複数の区画１００に表示する。このようにしたので、鑑賞するユーザごとに最適な画像データ３１を表示することができる。
【０２２１】
次のような変形例の一つ、もしくは複数を上述した第６〜第９の実施の形態と組み合わせることも可能である。
【０２２２】
（変形例１）
画像データ３１は、静止画でなく動画であってもよい。この場合、１つの区画１００に対して、複数の画像データ３１（動画）を割り当ててもよい。制御部７０は、その区画１００において、割り当てられた複数の画像データ３１（動画）を順に再生する。つまり、複数の画像データ３１（動画）を、１つの区画１００において時分割的に再生する。
【０２２３】
また、複数の動画の全てを１つの区画１００において再生するのではなく、各々の動画の一部を抜き出して再生してもよい。例えば、４つの動画を１つの区画１００に割り当てる場合において、各々の動画の再生時間を１分に限定することができる。更に、複数の動画の再生時間を一律に定めるのではなく、上述した種々のユーザ情報に基づき各々の動画の再生時間を決定してもよい。例えば、よりユーザが好むカテゴリに属する動画については、他の動画よりも長い再生時間を割り当てることができる。
【０２２４】
（変形例２）
上述した各実施の形態では、タッチパネル７４を用いたタッチ操作により携帯機器７を操作する例について説明した。つまり、閲覧者による指示は、全てタッチパネル７４を用いたタッチ操作により制御部７０に入力されていた。これを、他の操作部材（例えばメカニカルスイッチ等）を用いた操作で置き換えてもよい。
【０２２５】
また、種々のセンサにより検出された閲覧者の所定動作で置き換えることも可能である。例えば、閲覧者の視線を撮像装置により検出し、視線の変化を閲覧者による指示とすることができる。別の例としては、赤外線センサ等により閲覧者の手の動きを検出し、所定の手の動きを指示とすることもできる。また、マイクロフォンで閲覧者の音声を検出し、所定の音声を指示とすることも可能である。
【０２２６】
（変形例３）
上述した各実施の形態において、携帯機器７はタブレット端末やスマートフォンなどのモバイル端末であったが、これを他の形態の端末としてもよい。例えば、いわゆる設置型のパーソナルコンピュータや大画面モニタなど表示画面を備えた表示機器であればよい。各実施の形態の携帯機器７やその他の表示機器が、画面サイズの異なる種々の端末である場合、画面サイズに応じて区画１００の個数を変化させることもできる。
【０２２７】
（変形例４）
以上で説明した操作方法および表示方法は一例であり、異なる操作方法や表示方法を採用してもよい。例えば、上述した各実施の形態では、複数の区画１００が表示画面全体を覆っていた。これを、各々の区画１００の間に、隙間が設けられるようにしてもよい。つまり、複数の区画１００は必ずしも表示画面全体に隙間なく敷き詰められていなくてもよい。表示方法に関する他の例としては、液晶ディスプレイ７３の代わりに、国際公開ＷＯ２０１３／０７７３３８号公報に記載されているような、空中に立体像を表示する表示装置を採用することができる。
【０２２８】
（変形例５）
電子アルバムデータ３２には、その電子アルバムに含まれる画像データ３１を特定する情報だけでなく、それらの画像データ３１のレイアウトを示す情報を含めてもよい。この場合、電子アルバムの作成者は、再生時の画面レイアウト（複数の区画１００の表示態様）も含めた形で電子アルバムを作成する。このとき、制御部７０は、電子アルバムの作成者が設定した画面レイアウトをできるだけ尊重して電子アルバムの再生を行うことが望ましい。例えば、ユーザ情報に基づき区画１００の個数を増やす場合に、特定の区画１００を分割するような形で区画１００を増やし、多数の区画１００のサイズや位置が変化するような形では区画１００を増やさない。
【０２２９】
（その他の変形例）
閲覧者の識別結果を、スケジュールデータの読み出し以外の目的に利用してもよい。例えば第１の閲覧者が電子アルバムデータ３２を再生しているときに、第１の閲覧者が、第２の閲覧者に携帯機器７を渡す。このとき制御部７０は、閲覧者を識別することにより、閲覧者が第１の閲覧者から第２の閲覧者に変化したことを検知する。その後、第２の閲覧者が画像データの鑑賞を終え、携帯機器７を第１の閲覧者に返す。このとき制御部７０は、閲覧者を識別することにより、第２の閲覧者から第１の閲覧者に携帯機器７が返されたことを検知する。制御部７０は、これに応じて、表示画面を、第１の閲覧者が最後に鑑賞していたときの表示画面に戻す。あるいは、第２の閲覧者がどのような操作を行ってどのような画像データを鑑賞したかを示す情報を表示する。例えば、第２の閲覧者が鑑賞を開始した時から順に、表示画面の変化を再現することで、第２の閲覧者による画像データの鑑賞体験を、第１の閲覧者に追体験させる。
【０２３０】
また、同一の電子アルバムデータ３２を鑑賞している複数の閲覧者同士（複数の携帯機器７同士）で、鑑賞に関する情報が共有されるようにしてもよい。例えば、ある閲覧者が表示画面全体をフリックすると、制御部７０は、表示画面を、他の閲覧者が見ている（もしくは過去に見ていた）表示画面に切り替える。あるいは、例えば画像データＡ２〜Ａ４が表示されている行を上下にスクロールさせると、制御部７０は、その行に他の閲覧者が現在鑑賞している（もしくは過去に鑑賞していた）画像（例えば画像データＡ５〜Ａ７など）を表示する。
【０２３１】
本発明の特徴を損なわない限り、本発明は上記実施の形態に限定されるものではなく、本発明の技術的思想の範囲内で考えられるその他の形態についても、本発明の範囲内に含まれる。
上述した実施の形態および変形例は、以下のような表示装置、表示プログラムおよび表示方法も含む。
（１）複数の画像を表示する表示部と、前記表示部の前記複数の画像の表示形態を、第１の表示形態、または、第２の表示形態に制御する制御部と、を備え、前記第１の表示形態は、第１の複数の領域と第１の複数の画像とからなる表示形態であり、前記第２の表示形態は、第２の複数の領域と第２の複数の画像とからなる表示形態であり、前記第２の複数の領域とは、前記第１の複数の領域とは少なくとも１つの領域の大きさが異なり、または、前記第１の複数の領域とは領域の個数が異なる複数の領域であり、前記第２の複数の画像とは、前記第１の複数の画像とは少なくとも１つの画像の内容が異なる複数の画像であり、前記制御部は、前記第１の複数の画像のうち少なくとも１つの画像を選択する指示、または、前記第１の複数の領域のうち少なくとも１つの領域を選択する指示、の少なくとも一方の指示を検出すると、前記第１の表示形態から前記第２の表示形態に変更する表示装置。
（２）（１）のような表示装置において、前記制御部は、前記画像を選択する指示を検出した対象の画像を検出画像として、前記第２の表示形態に表示する。
（３）（１）のような表示装置において、前記制御部は、前記領域を選択する指示を検出した対象の領域に表示される画像を検出画像として、前記第２の表示形態に表示する。
（４）（２）または（３）のような表示装置において、前記制御部は、少なくとも１つの前記検出画像に関連のある関連画像を、前記第２の表示形態に表示する。
（５）（４）のような表示装置において、前記制御部は、前記関連画像の表示する数を一定数以下で表示する。
（６）（５）のような表示装置において、前記制御部は、前記関連画像の表示する数が一定数に達した後に、前記画像を選択する指示、または、前記領域を選択する指示を検出すると、前記表示部に表示されている最古の画像を前記関連画像のうち未表示の画像に置き換える。
（７）（２）〜（６）のような表示装置において、前記制御部は、前記第１の複数の画像のうち、前記検出画像ではない他の画像を、前記第２の表示形態に表示する。
（８）（７）のような表示装置において、前記制御部は、前記他の画像を前記第２の表示形態に表示する際に、前記他の画像の領域の大きさを所定の大きさ以上で表示する（５）のような。
（９）（１）〜（８）のような表示装置において、前記制御部は、前記画像を選択する指示、または、前記領域を選択する指示の少なくとも一方の指示を検出している長さに基づいて、前記画像と前記領域の対応を連続的に変更する。
（１０）（１）〜（９）のような表示装置において、前記制御部は、前記画像を選択する指示、または、前記領域を選択する指示の少なくとも一方の指示を検出している押圧力の強さに基づいて、前記画像と前記領域の対応を連続的に変更する。
（１１）複数の画像を表示する表示部と、前記表示部の前記複数の画像の表示形態を、第１の表示形態、または、第２の表示形態に制御する制御部と、を備え、前記第１の表示形態は、第１の複数の領域に画像を表示する表示形態であり、前記第２の表示形態は、第２の複数の領域に画像を表示する表示形態であり、前記第２の複数の領域とは、前記第１の複数の領域とは少なくとも１つの領域の大きさが異なり、または、前記第１の複数の領域とは領域の個数が異なる複数の領域であり、前記制御部は、前記第１の複数の領域のうち少なくとも１つの領域、または前記領域に表示されている画像を選択する指示を検出すると、前記第１の表示形態から前記第２の表示形態に変更する表示装置。
（１２）表示画面に複数の画像を表示する表示ステップと、前記表示画面に表示された前記複数の画像の表示形態を、第１の表示形態、または、第２の表示形態に制御する制御ステップと、をコンピュータに実行させ、前記第１の表示形態は、第１の複数の領域と第１の複数の画像とからなる表示形態であり、前記第２の表示形態は、第２の複数の領域と第２の複数の画像とからなる表示形態であり、前記第２の複数の領域とは、前記第１の複数の領域とは少なくとも１つ領域の大きさが異なり、または、前記第１の複数の領域とは領域の個数が異なる複数の領域であり、前記第２の複数の画像とは、前記第１の複数の画像とは少なくとも１つの画像の内容が異なる複数の画像であり、前記制御ステップでは、前記第１の複数の画像のうち少なくとも１つの画像を選択する指示、または、前記第１の複数の領域のうち少なくとも１つの領域を選択する指示、の少なくとも一方の指示を検出すると、前記第１の表示形態から前記第２の表示形態に変更する表示プログラム。
（１３）表示画面に複数の画像を表示する表示工程と、前記表示画面に表示された前記複数の画像の表示形態を、第１の表示形態、または、第２の表示形態に制御する制御工程と、を備え、前記第１の表示形態は、第１の複数の領域と第１の複数の画像とからなる表示形態であり、前記第２の表示形態は、第２の複数の領域と第2の複数の画像とからなる表示形態であり、前記制御工程では、前記第１の複数の画像のうち少なくとも１つの画像を選択する指示、または、前記第１の複数の領域のうち少なくとも１つの領域を選択する指示、の少なくとも一方の指示を検出すると、前記第１の表示形態から前記第２の表示形態に変更する表示方法。
【符号の説明】
【０２３２】
１…画像再生システム、２…ネットワーク、３…サーバ、４…情報端末、５、５ａ、５ｂ…カメラ、６ａ、６ｂ…無線中継局、７…携帯機器、３０…記憶装置、７０…制御部
【図１】
2018092254.tif 000003
【図２】
2018092254.tif 000004
【図３】
2018092254.tif 000005
【図４】
2018092254.tif 000006
【図５】
2018092254.tif 000007
【図６】
2018092254.tif 000008
【図７】
2018092254.tif 000009
【図８】
2018092254.tif 000010
【図９】
2018092254.tif 000011
【図１０】
2018092254.tif 000012
【図１１】
2018092254.tif 000013
【図１２】
2018092254.tif 000014
【図１３】
2018092254.tif 000015
【図１４】
2018092254.tif 000016
【図１５】
2018092254.tif 000017
【図１６】
2018092254.tif 000018
【図１７】
2018092254.tif 000019
【図１８】
2018092254.tif 000020
【図１９】
2018092254.tif 000021
【図２０】
2018092254.tif 000022
【図２１】
2018092254.tif 000023
【図２２】
2018092254.tif 000024
【図２３】
2018092254.tif 000025
【図２４】
2018092254.tif 000026
【図２５】
2018092254.tif 000027
【図２６】
2018092254.tif 000028
【図２７】
2018092254.tif 000029
【図２８】
2018092254.tif 000030